(57)【要約】バックライト装置１２は、冷陰極管１８と、冷陰極管１８を収容するシャーシ１４と、シャーシ１４に対して冷陰極管１８とは反対側に、シャーシ１４側の基準面ＢＳから所定の隙間Ｃを空けて配され、冷陰極管１８に対して駆動電力を供給するインバータ基板２０と、シャーシ１４に組み付けられるとともにインバータ基板２０がその板面に沿う一方向に挿抜可能とされ、インバータ基板２０と冷陰極管１８との間の電力供給を中継する中継コネクタ２１とを備え、シャーシ１４側には、基準面ＢＳからインバータ基板２０における端部２０ｅ〜２０ｇに向けて突出するとともに、端部２０ｅ〜２０ｇにおける延在方向の一端から他端にわたるよう配されることで、インバータ基板２０との間の隙間Ｃを規制する規制部３５，３６が設けられている。
2010092721.tif 000002
【特許請求の範囲】
【請求項１】
光源と、
前記光源を収容するシャーシと、
前記シャーシに対して前記光源とは反対側に、前記シャーシ側の基準面から所定の隙間を空けて配され、前記光源に対して駆動電力を供給する電力供給基板と、
前記シャーシに組み付けられるとともに前記電力供給基板がその板面に沿う一方向に挿抜可能とされ、前記電力供給基板と前記光源との間の電力供給を中継する中継コネクタとを備え、
前記シャーシ側には、前記基準面から前記電力供給基板における端部に向けて突出するとともに、前記端部における延在方向の一端から他端にわたるよう配されることで、前記電力供給基板との間の隙間を規制する規制部が設けられている照明装置。
【請求項２】
前記規制部は、前記電力供給基板のうち前記中継コネクタに対する挿入方向に沿った第１の方向の端部に向けて突出する形態とされている請求の範囲第１項記載の照明装置。
【請求項３】
前記規制部は、前記電力供給基板のうち前記中継コネクタに対する挿入方向の後側の端部に向けて突出する後側規制部を備えている請求の範囲第２項記載の照明装置。
【請求項４】
前記規制部は、前記電力供給基板のうち前記中継コネクタに対する挿入方向の前側の端部に向けて突出する前側規制部を備えている請求の範囲第２項または請求の範囲第３項記載の照明装置。
【請求項５】
前記規制部は、前記電力供給基板のうち前記中継コネクタに対する挿入方向の後側の端部に向けて突出する後側規制部と、前記挿入方向の前側の端部に向けて突出する前側規制部とを備えている請求の範囲第２項記載の照明装置。
【請求項６】
前記規制部は、前記電力供給基板のうち前記中継コネクタに対する挿入方向に沿った第１の方向の端部に向けて突出する第１規制部と、前記電力供給基板の板面に沿い且つ前記第１の方向と直交する第２の方向の端部に向けて突出する第２規制部とを備え、前記第１規制部と前記第２規制部とが互いに連なる形態とされている請求の範囲第１項から請求の範囲第５項のいずれか１項に記載の照明装置。
【請求項７】
前記規制部は、前記電力供給基板のうち前記中継コネクタに対する挿入方向に沿った第１の方向の両端部に向けてそれぞれ突出する一対の第１規制部と、前記電力供給基板の板面に沿い且つ前記第１の方向と直交する第２の方向の両端部に向けてそれぞれ突出する一対の第２規制部とを備え、前記一対の第１規制部と前記一対の第２規制部とが互いに連なる形態とされている請求の範囲第１項から請求の範囲第５項のいずれか１項に記載の照明装置。
【請求項８】
前記規制部は、前記電力供給基板の板面に沿い且つ前記中継コネクタに対する前記電力供給基板の挿入方向に沿った第１の方向と直交する第２の方向の端部に向けて突出する形態とされている請求の範囲第１項から請求の範囲第５項のいずれか１項に記載の照明装置。
【請求項９】
前記規制部は、前記電力供給基板の板面に沿い且つ前記中継コネクタに対する前記電力供給基板の挿入方向に沿った第１の方向と直交する第２の方向の両端部に向けてそれぞれ突出する形態とされている請求の範囲第１項から請求の範囲第５項のいずれか１項に記載の照明装置。
【請求項１０】
前記規制部は、前記電力供給基板の端部における延在方向に沿って延在する形態とされている請求の範囲第１項から請求の範囲第９項のいずれか１項に記載の照明装置。
【請求項１１】
前記規制部は、前記電力供給基板の端部における延在方向の全域にわたって延在する形態とされている請求の範囲第１項から請求の範囲第９項のいずれか１項に記載の照明装置。
【請求項１２】
前記規制部は、前記電力供給基板の端部に対して当接されている請求の範囲第１項から請求の範囲第１１項のいずれか１項に記載の照明装置。
【請求項１３】
前記規制部は、前記電力供給基板の端部の延在方向に沿って延在する形態とされ、その延在長さの全域にわたって前記電力供給基板の端部に当接されている請求の範囲第１２項記載の照明装置。
【請求項１４】
前記規制部は、前記電力供給基板の端部における延在方向の全域にわたって延在する形態とされ、その延在長さの全域にわたって前記電力供給基板の端部に当接されている請求の範囲第１２項記載の照明装置。
【請求項１５】
前記電力供給基板は、前記中継コネクタから離脱した非挿入位置と、前記中継コネクタに挿入された挿入位置との間を移動可能とされており、
前記シャーシに対して前記非挿入位置とした前記電力供給基板をその板面に沿う少なくともいずれか一方向について位置決め可能な位置決め構造が設けられている請求の範囲第１項から請求の範囲第１４項のいずれか１項に記載の照明装置。
【請求項１６】
前記シャーシ側に設けられる前記位置決め構造は、前記規制部に連なる形態で設けられている請求の範囲第１５項記載の照明装置。
【請求項１７】
前記位置決め構造は、前記中継コネクタに対する前記電力供給基板の挿入方向に沿った第１の方向について前記電力供給基板を位置決め可能な第１位置決め構造を備える請求の範囲第１５項または請求の範囲第１６項記載の照明装置。
【請求項１８】
前記第１位置決め構造は、前記電力供給基板と前記シャーシとのいずれか一方側に設けられた第１位置決め凸部と、他方側に設けられていて前記第１位置決め凸部を受け入れ可能な第１位置決め凹部とを備え、前記第１位置決め凹部は、前記第１位置決め凸部に対して前記挿入方向についてクリアランスを保有しており、
前記第１位置決め凸部及び前記第１位置決め凹部は、前記電力供給基板が前記非挿入位置とされた状態では、前記挿入方向の前端部同士が当接するものの、前記挿入方向の後端部同士が前記挿入方向について離間するよう形成されている請求の範囲第１７項記載の照明装置。
【請求項１９】
前記第１位置決め凸部及び前記第１位置決め凹部は、前記電力供給基板が前記挿入位置とされた状態では、前記挿入方向の後端部同士が当接するよう形成されている請求の範囲第１８項記載の照明装置。
【請求項２０】
前記第１位置決め凸部は、前記シャーシ側に、前記第１位置決め凹部は、前記電力供給基板側にそれぞれ配されている請求の範囲第１８項または請求の範囲第１９項記載の照明装置。
【請求項２１】
前記第１位置決め凹部は、前記電力供給基板を部分的に切り欠くことで形成されている請求の範囲第２０項記載の照明装置。
【請求項２２】
前記位置決め構造は、前記中継コネクタに対する前記電力供給基板の挿入方向に沿った第１の方向と直交する第２の方向について前記電力供給基板を位置決めする第２位置決め構造を備えている請求の範囲第１５項から請求の範囲第２１項のいずれか１項に記載の照明装置。
【請求項２３】
前記第２位置決め構造は、前記シャーシ側に設けられ、前記電力供給基板が前記非挿入位置と前記挿入位置とを移動する間、前記電力供給基板に当接する第２位置決め部を備える請求の範囲第２２項記載の照明装置。
【請求項２４】
前記第２位置決め部は、前記電力供給基板側に向けて突出する形態とされるのに対し、前記電力供給基板には、前記第２位置決め部を受け入れ可能な切欠部が設けられており、
前記第２位置決め部及び前記切欠部は、前記電力供給基板が前記非挿入位置とされた状態では、前記挿入方向の前端部同士が当接されることで、前記第１の方向について前記電力供給基板を位置決め可能とされる請求の範囲第２３項記載の照明装置。
【請求項２５】
前記位置決め構造は、前記中継コネクタに対する前記電力供給基板の挿入方向の前後に離間した２位置にそれぞれ配されている請求の範囲第１５項から請求の範囲第２４項のいずれか１項に記載の照明装置。
【請求項２６】
前記位置決め構造は、前記中継コネクタに対する前記電力供給基板の挿入方向に沿った第１の方向と直交する第２の方向の端部に配されている請求の範囲第１５項から請求の範囲第２５項のいずれか１項に記載の照明装置。
【請求項２７】
前記位置決め構造は、前記中継コネクタに対する前記電力供給基板の挿入方向に沿った第１の方向と直交する第２の方向の両端部にそれぞれ配されている請求の範囲第１５項から請求の範囲第２５項のいずれか１項に記載の照明装置。
【請求項２８】
前記シャーシには、前記電力供給基板との間に介在するカバーが取り付けられ、前記カバーにおける前記電力供給基板との対向面が前記基準面とされており、
前記規制部は、前記カバーに設けられている請求の範囲第１項から請求の範囲第２７項のいずれか１項に記載の照明装置。
【請求項２９】
前記シャーシには、前記中継コネクタを挿通可能なコネクタ挿通孔が貫通形成されているのに対し、前記カバーには、前記コネクタ挿通孔に対して連通するとともに前記中継コネクタを嵌合可能なコネクタ嵌合孔が貫通形成されている請求の範囲第２８項記載の照明装置。
【請求項３０】
前記コネクタ挿通孔は、前記コネクタ嵌合孔よりも大きくなるよう形成されている請求の範囲第２９項記載の照明装置。
【請求項３１】
前記カバーには、前記コネクタ挿通孔に対して内嵌可能な嵌合凸部が設けられている請求の範囲第３０項記載の照明装置。
【請求項３２】
前記コネクタ嵌合孔は、前記カバーにおいて前記中継コネクタに対する前記電力供給基板の挿入方向に沿った第１の方向と直交する第２の方向について複数が並列配置されており、
前記規制部は、前記カバーのうち隣り合う前記コネクタ嵌合孔の間の領域に設けられている請求の範囲第２８項から請求の範囲第３１項のいずれか１項に記載の照明装置。
【請求項３３】
前記コネクタ嵌合孔の縁部には、前記電力供給基板側に向けて突出するリブが設けられており、
前記規制部は、前記リブに対して連結されるよう形成されている請求の範囲第３２項記載の照明装置。
【請求項３４】
前記シャーシ側には、前記電力供給基板に対して前記シャーシとは反対側から当接する基板押さえ部が設けられている請求の範囲第１項から請求の範囲第３３項のいずれか１項に記載の照明装置。
【請求項３５】
前記基板押さえ部は、前記挿入位置とされた前記電力供給基板における前記挿入方向の前端部に当接されるよう配されている請求の範囲第３４項記載の照明装置。
【請求項３６】
前記シャーシ側には、前記基準面から前記電力供給基板における中央側部分に向けて突出するとともに、前記電力供給基板に当接されることで、前記電力供給基板を支持可能な基板支持部が設けられている請求の範囲第１項から請求の範囲第３５項のいずれか１項に記載の照明装置。
【請求項３７】
前記基板支持部は、前記中継コネクタに隣接する位置に配されている請求の範囲第３６項記載の照明装置。
【請求項３８】
請求の範囲第１項から請求の範囲第３７項のいずれか１項に記載の照明装置と、前記照明装置からの光を利用して表示を行う表示パネルとを備える表示装置。
【請求項３９】
前記表示パネルは、一対の基板間に液晶を封入してなる液晶パネルとされる請求の範囲第３８項記載の表示装置。
【請求項４０】
請求の範囲第３８項または請求の範囲第３９項に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される多数本の冷陰極管と、シャーシの開口部に配されて冷陰極管が発する光を効率的に液晶パネル側へ放出させるための複数枚の光学部材（拡散シート等）と、各冷陰極管に電力を供給可能なインバータ基板とを備える。【０００３】
インバータ基板と冷陰極管とを電気的に接続するための構造を開示するものの一例として下記特許文献１に記載されたものが知られている。このものは、冷陰極管がシャーシの表側内部に配されるのに対し、インバータ基板がシャーシの裏側外部に配されるとともに、シャーシには中継コネクタが内外に貫通する形態で取り付けられており、この中継コネクタの内側端部に冷陰極管が接続されるのに対し、中継コネクタの外側端部にインバータ基板が接続されるようになっている。
【特許文献１】特開２００７−２８０９５５公報
【０００４】
（発明が解決しようとする課題）
上記した構成のものでは、シャーシとインバータ基板との間には、インバータ基板に搭載された各種部品などが干渉するのを防ぐため、所定の隙間を空ける場合がある。ところが、この隙間に外部から異物などが侵入すると、インバータ基板において短絡などの不具合が生じる可能性があった。
【発明の開示】
【０００５】
本発明は上記のような事情に基づいて完成されたものであって、異物などの侵入を防ぐことを目的とする。
【０００６】
（課題を解決するための手段）
本発明の照明装置は、光源と、前記光源を収容するシャーシと、前記シャーシに対して前記光源とは反対側に、前記シャーシ側の基準面から所定の隙間を空けて配され、前記光源に対して駆動電力を供給する電力供給基板と、前記シャーシに組み付けられるとともに前記電力供給基板がその板面に沿う一方向に挿抜可能とされ、前記電力供給基板と前記光源との間の電力供給を中継する中継コネクタとを備え、前記シャーシ側には、前記基準面から前記電力供給基板における端部に向けて突出するとともに、前記端部における延在方向の一端から他端にわたるよう配されることで、前記電力供給基板との間の隙間を規制する規制部が設けられている。
【０００７】
このようにすれば、電力供給基板は、シャーシに対して基準面から所定の隙間を空けて配されるとともに、中継コネクタに対して板面に沿う一方向に挿抜されるようになっていて、中継コネクタを介して光源に対して駆動電力を供給可能とされている。シャーシ側の基準面と電力供給基板との間に保有される隙間は、シャーシ側の基準面から電力供給基板における端部に向けて突出するとともに、その端部における延在方向の一端から他端にわたって配される規制部によって規制される。従って、規制部により規制された上記隙間に対して外部から異物などが侵入し難くなる。
【０００８】
本発明の実施態様として、次の構成が好ましい。
（１）前記規制部は、前記電力供給基板のうち前記中継コネクタに対する挿入方向に沿った第１の方向の端部に向けて突出する形態とされている。このようにすれば、電力供給基板の挿入方向に沿った第１の方向から異物などが隙間に侵入し難くなる。
【０００９】
（２）前記規制部は、前記電力供給基板のうち前記中継コネクタに対する挿入方向の後側の端部に向けて突出する後側規制部を備えている。このようにすれば、電力供給基板の挿入方向の後側から異物などが隙間に侵入し難くなる。
【００１０】
（３）前記規制部は、前記電力供給基板のうち前記中継コネクタに対する挿入方向の前側の端部に向けて突出する前側規制部を備えている。このようにすれば、電力供給基板の挿入方向の前側から異物などが隙間に侵入し難くなる。
【００１１】
（４）前記規制部は、前記電力供給基板のうち前記中継コネクタに対する挿入方向の後側の端部に向けて突出する後側規制部と、前記挿入方向の前側の端部に向けて突出する前側規制部とを備えている。このようにすれば、電力供給基板の挿入方向の前後両側から異物などが隙間に侵入し難くなる。
【００１２】
（５）前記規制部は、前記電力供給基板のうち前記中継コネクタに対する挿入方向に沿った第１の方向の端部に向けて突出する第１規制部と、前記電力供給基板の板面に沿い且つ前記第１の方向と直交する第２の方向の端部に向けて突出する第２規制部とを備え、前記第１規制部と前記第２規制部とが互いに連なる形態とされている。このようにすれば、電力供給基板の挿入方向に沿った第１の方向及びそれと直交する第２の方向の２方向から異物などが隙間に侵入し難くなる。
【００１３】
（６）前記規制部は、前記電力供給基板のうち前記中継コネクタに対する挿入方向に沿った第１の方向の両端部に向けてそれぞれ突出する一対の第１規制部と、前記電力供給基板の板面に沿い且つ前記第１の方向と直交する第２の方向の両端部に向けてそれぞれ突出する一対の第２規制部とを備え、前記一対の第１規制部と前記一対の第２規制部とが互いに連なる形態とされている。このようにすれば、電力供給基板の板面に沿う全方位から異物などが隙間に侵入し難くなる。
【００１４】
（７）前記規制部は、前記電力供給基板の板面に沿い且つ前記中継コネクタに対する前記電力供給基板の挿入方向に沿った第１の方向と直交する第２の方向の端部に向けて突出する形態とされている。このようにすれば、電力供給基板の挿入方向に沿った第１の方向と直交する第２の方向から異物などが隙間に侵入し難くなる。
【００１５】
（８）前記規制部は、前記電力供給基板の板面に沿い且つ前記中継コネクタに対する前記電力供給基板の挿入方向に沿った第１の方向と直交する第２の方向の両端部に向けてそれぞれ突出する形態とされている。このようにすれば、電力供給基板の挿入方向に沿った第１の方向と直交する第２の方向の両側から異物などが隙間に侵入し難くなる。
【００１６】
（９）前記規制部は、前記電力供給基板の端部における延在方向に沿って延在する形態とされている。このようにすれば、規制部における延在長さの範囲内で隙間を切れ目無く規制することができる。
【００１７】
（１０）前記規制部は、前記電力供給基板の端部における延在方向の全域にわたって延在する形態とされている。このようにすれば、電力供給基板の端部における延在方向の全域にわたって隙間を切れ目無く規制することができる。
【００１８】
（１１）前記規制部は、前記電力供給基板の端部に対して当接されている。このようにすれば、規制部により隙間を塞ぐことができる。
【００１９】
（１２）前記規制部は、前記電力供給基板の端部の延在方向に沿って延在する形態とされ、その延在長さの全域にわたって前記電力供給基板の端部に当接されている。このようにすれば、規制部における延在長さの範囲内で隙間を切れ目無く塞ぐことができる。
【００２０】
（１３）前記規制部は、前記電力供給基板の端部における延在方向の全域にわたって延在する形態とされ、その延在長さの全域にわたって前記電力供給基板の端部に当接されている。このようにすれば、電力供給基板の端部における延在方向の全域にわたって隙間を切れ目無く塞ぐことができる。
【００２１】
（１４）前記電力供給基板は、前記中継コネクタから離脱した非挿入位置と、前記中継コネクタに挿入された挿入位置との間を移動可能とされており、前記シャーシに対して前記非挿入位置とした前記電力供給基板をその板面に沿う少なくともいずれか一方向について位置決め可能な位置決め構造が設けられている。このようにすれば、非挿入位置とした電力供給基板は、板面に沿う少なくともいずれか一方向についてシャーシに対して位置決めされる。電力供給基板を非挿入位置に配する際や、非挿入位置から挿入位置へ移動させる際に、電力供給基板に実装された各種部品などがシャーシ側の構造物に干渉するのを回避することができる。
【００２２】
（１５）前記シャーシ側に設けられる前記位置決め構造は、前記規制部に連なる形態で設けられている。このようにすれば、位置決め構造及び規制部の設置スペースを一纏めにできるので、小型化や設計の自由度の向上などに好適となる。
【００２３】
（１６）前記位置決め構造は、前記中継コネクタに対する前記電力供給基板の挿入方向に沿った第１の方向について前記電力供給基板を位置決め可能な第１位置決め構造を備える。このようにすれば、電力供給基板の挿入方向に沿った第１の方向について、電力供給基板を位置決めすることができる。
【００２４】
（１７）前記第１位置決め構造は、前記電力供給基板と前記シャーシとのいずれか一方側に設けられた第１位置決め凸部と、他方側に設けられていて前記第１位置決め凸部を受け入れ可能な第１位置決め凹部とを備え、前記第１位置決め凹部は、前記第１位置決め凸部に対して前記挿入方向についてクリアランスを保有しており、前記第１位置決め凸部及び前記第１位置決め凹部は、前記電力供給基板が前記非挿入位置とされた状態では、前記挿入方向の前端部同士が当接するものの、前記挿入方向の後端部同士が前記挿入方向について離間するよう形成されている。このようにすれば、電力供給基板を非挿入位置に配する際に、電力供給基板がシャーシに対して挿入方向の後方に位置ずれするのを防ぐことができる。また、第１位置決め凸部と第１位置決め凹部との間に保有されたクリアランスの範囲で電力供給基板の移動が許容される。
【００２５】
（１８）前記第１位置決め凸部及び前記第１位置決め凹部は、前記電力供給基板が前記挿入位置とされた状態では、前記挿入方向の後端部同士が当接するよう形成されている。このようにすれば、電力供給基板を非挿入位置から挿入位置まで移動したとき、電力供給基板がシャーシに対して挿入方向の前方に位置ずれするのを防ぐことができる。これにより、挿入位置の電力供給基板と規制部との位置関係が定められるから、規制部による隙間の規制状態を安定化させることができる。
【００２６】
（１９）前記第１位置決め凸部は、前記シャーシ側に、前記第１位置決め凹部は、前記電力供給基板側にそれぞれ配されている。このようにすれば、仮に電力供給基板側に第１位置決め凸部を設けようとした場合、特殊な設計が必要となるのと比べると、低コストでもって電力供給基板に位置決め構造を設けることができる。
【００２７】
（２０）前記第１位置決め凹部は、前記電力供給基板を部分的に切り欠くことで形成されている。このようにすれば、電力供給基板をシャーシとは反対側から目視することで、第１位置決め凹部内に進入した第１位置決め凸部の位置を確認することができる。これにより、電力供給基板をより正確に位置決めすることができる。
【００２８】
（２１）前記位置決め構造は、前記中継コネクタに対する前記電力供給基板の挿入方向に沿った第１の方向と直交する第２の方向について前記電力供給基板を位置決めする第２位置決め構造を備えている。このようにすれば、電力供給基板の挿入方向に沿った第１の方向と直交する第２の方向について、非挿入位置とした電力供給基板を位置決めすることができる。
【００２９】
（２２）前記第２位置決め構造は、前記シャーシ側に設けられ、前記電力供給基板が前記非挿入位置と前記挿入位置とを移動する間、前記電力供給基板に当接する第２位置決め部を備える。このようにすれば、電力供給基板を非挿入位置と挿入位置との間で移動させる際、その移動動作を第２位置決め部によりガイドすることができる。これにより、電力供給基板を安定的に移動させることができる。また、挿入位置の電力供給基板と規制部との位置関係が定められるから、規制部による隙間の規制状態を安定化させることができる。
【００３０】
（２３）前記第２位置決め部は、前記電力供給基板側に向けて突出する形態とされるのに対し、前記電力供給基板には、前記第２位置決め部を受け入れ可能な切欠部が設けられており、前記第２位置決め部及び前記切欠部は、前記電力供給基板が前記非挿入位置とされた状態では、前記挿入方向の前端部同士が当接されることで、前記第１の方向について前記電力供給基板を位置決め可能とされる。このようにすれば、第２位置決め部及び切欠部により第１の方向及び第２の方向の両方向について電力供給基板を位置決めすることができる。
【００３１】
（２４）前記位置決め構造は、前記中継コネクタに対する前記電力供給基板の挿入方向の前後に離間した２位置にそれぞれ配されている。このようにすれば、電力供給基板をより正確に位置決めすることができる。しかも、作業者が位置決め構造を目視により確認できるようにした場合、視認性を高めることができる。
【００３２】
（２５）前記位置決め構造は、前記中継コネクタに対する前記電力供給基板の挿入方向に沿った第１の方向と直交する第２の方向の端部に配されている。このようにすれば、仮に位置決め構造を第２の方向の中央側に配した場合と比べると、電力供給基板の配線パターンや各部品の設置位置などの設計に制約が生じるのを回避することができる。
【００３３】
（２６）前記位置決め構造は、前記中継コネクタに対する前記電力供給基板の挿入方向に沿った第１の方向と直交する第２の方向の両端部にそれぞれ配されている。このようにすれば、仮に位置決め構造を第２の方向の中央側に配した場合と比べると、電力供給基板の配線パターンや各部品の設置位置などの設計に制約が生じるのを回避することができる。しかも、位置決め構造を第２の方向の両端部にそれぞれ配することで、より正確に電力供給基板を位置決めすることができる。
【００３４】
（２７）前記シャーシには、前記電力供給基板との間に介在するカバーが取り付けられ、前記カバーにおける前記電力供給基板との対向面が前記基準面とされており、前記規制部は、前記カバーに設けられている。このようにすれば、仮に規制部を直接シャーシに設ける場合と比べると、規制部の形状や配置などの自由度を高めることができる。
【００３５】
（２８）前記シャーシには、前記中継コネクタを挿通可能なコネクタ挿通孔が貫通形成されているのに対し、前記カバーには、前記コネクタ挿通孔に対して連通するとともに前記中継コネクタを嵌合可能なコネクタ嵌合孔が貫通形成されている。このようにすれば、シャーシのコネクタ挿通孔及びカバーのコネクタ嵌合孔に中継コネクタを貫通させた状態で取り付けることができる。
【００３６】
（２９）前記コネクタ挿通孔は、前記コネクタ嵌合孔よりも大きくなるよう形成されている。このようにすれば、シャーシにおけるコネクタ挿通孔の縁部と中継コネクタとの間の距離を十分に空けることができる。従って、中継コネクタに高電圧電流が流れた場合にシャーシ側にリークするのを抑制することができる。
【００３７】
（３０）前記カバーには、前記コネクタ挿通孔に対して内嵌可能な嵌合凸部が設けられている。このようにすれば、シャーシにおけるコネクタ挿通孔の縁部と中継コネクタとの間に嵌合凸部が介在することになるので、中継コネクタとシャーシとをより確実に絶縁状態に維持できる。また、シャーシに対するカバーの位置決めも可能となる。
【００３８】
（３１）前記コネクタ嵌合孔は、前記カバーにおいて前記中継コネクタに対する前記電力供給基板の挿入方向に沿った第１の方向と直交する第２の方向について複数が並列配置されており、前記規制部は、前記カバーのうち隣り合う前記コネクタ嵌合孔の間の領域に設けられている。このようにすれば、電力供給基板とカバーとの間に保有される空間に対して挿入方向の前方から、隣り合う中継コネクタの間の空間を通って異物などが侵入するのを防ぐことができる。
【００３９】
（３２）前記コネクタ嵌合孔の縁部には、前記電力供給基板側に向けて突出するリブが設けられており、前記規制部は、前記リブに対して連結されるよう形成されている。このようにすれば、リブと規制部とを連結することで、挿入方向の前方から視て隙間を無くすことができ、異物などの侵入を確実に防止できる。また強度上も優れる。
【００４０】
（３３）前記シャーシ側には、前記電力供給基板に対して前記シャーシとは反対側から当接する基板押さえ部が設けられている。このようにすれば、基板押さえ部により電力供給基板がシャーシとは反対側に変形するのを抑制することができる。
【００４１】
（３４）前記基板押さえ部は、前記挿入位置とされた前記電力供給基板における前記挿入方向の前端部に当接されるよう配されている。このようにすれば、挿入位置とした電力供給基板における挿入方向の前端部を基板押さえ部により押さえることで、中継コネクタに対する接続信頼性を向上させることができる。
【００４２】
（３５）前記シャーシ側には、前記基準面から前記電力供給基板における中央側部分に向けて突出するとともに、前記電力供給基板に当接されることで、前記電力供給基板を支持可能な基板支持部が設けられている。このようにすれば、電力供給基板の板面と直交する方向についてシャーシと電力供給基板との位置関係を所望の状態に維持することができる。これにより、規制部による隙間の規制状態を一定に保つことができる。
【００４３】
（３６）前記基板支持部は、前記中継コネクタに隣接する位置に配されている。このようにすれば、中継コネクタに隣接する位置にて電力供給基板の撓みなどの変形が防止されるので、中継コネクタに対する電力供給基板の接続信頼性を高めることができる。
【００４４】
次に、上記課題を解決するために、本発明の表示装置は、上記記載の照明装置と、前記照明装置からの光を利用して表示を行う表示パネルとを備える。
【００４５】
このような表示装置によると、表示パネルに対して光を供給する照明装置が、シャーシ側の基準面と電力供給基板との間の隙間に異物などが侵入するのが防止されるから、動作安定性などに優れる。
【００４６】
前記表示パネルとしては液晶パネルを例示することができる。このような表示装置は液晶表示装置として、種々の用途、例えばテレビやパソコンのディスプレイ等に適用でき、特に大型画面用として好適である。
【００４７】
（発明の効果）
本発明によれば、異物などの侵入を防ぐことができる。
【図面の簡単な説明】
【００４８】
【図１】本発明の実施形態１に係るテレビ受信装置の概略構成を示す分解斜視図
【図２】液晶表示装置の長辺方向に沿った断面構成を示す断面図
【図３】冷陰極管を収容したシャーシの平面図
【図４】インバータ基板を取り付けたシャーシの底面図
【図５】カバーを取り付けたシャーシの拡大底面図
【図６】カバーの位置決め構造などを示す要部拡大底面図
【図７】インバータ基板を取り外し位置とした状態における図６のvii-vii線断面図
【図８】インバータ基板を取り外し位置とした状態における図６のviii-viii線断面図
【図９】インバータ基板を取り外し位置とした状態における図６のix-ix線断面図
【図１０】図６のx-x線断面図
【図１１】図６のxi-xi線断面図
【図１２】図６のxii-xii線断面図
【図１３】インバータ基板を非挿入位置とした状態における要部拡大底面図
【図１４】インバータ基板を非挿入位置とした状態における図１３のxiv-xiv線断面図
【図１５】インバータ基板を非挿入位置とした状態における図１３のxv-xv線断面図
【図１６】インバータ基板を非挿入位置とした状態における図１３のxvi-xvi線断面図
【図１７】インバータ基板を挿入位置とした状態における要部拡大底面図
【図１８】インバータ基板を挿入位置とした状態における図１７のxviii-xviii線断面図
【図１９】インバータ基板を挿入位置とした状態における図１７のxix-xix線断面図
【図２０】インバータ基板を挿入位置とした状態における図１７のxx-xx線断面図
【図２１】図１７のxxi-xxi線断面図
【図２２】図１７のxxii-xxii線断面図
【図２３】図１７のxxiii-xxiii線断面図
【図２４】本発明の実施形態１の変形例１に係る後側規制部とインバータ基板との位置関係を表す断面図
【図２５】本発明の実施形態１の変形例２に係る後側規制部を示す断面図
【図２６】本発明の実施形態１の変形例３に係る後側規制部を示す断面図
【図２７】本発明の実施形態１の変形例４に係る後側規制部を示す断面図
【符号の説明】
【００４９】
１０…液晶表示装置（表示装置）、１１…液晶パネル（表示パネル）、１２…バックライト装置（照明装置）、１４…シャーシ、１４ｂ…コネクタ挿通孔、１８…冷陰極管（光源）、２０…インバータ基板（電力供給基板）、２０ｅ〜２０ｇ…端部、２１…中継コネクタ、２２…カバー、２５…コネクタ嵌合孔、２６…嵌合凸部、２７…リブ、３０…基板支持部、３１…第１位置決め凸部（位置決め構造、第１位置決め構造）、３２…第１位置決め凹部（位置決め構造、第１位置決め構造）、３３…第２位置決め部（位置決め構造、第２位置決め構造）、３４…基板押さえ部、３５…第１規制部（規制部）、３５ａ…前側規制部、３５ｂ…後側規制部、３６…第２規制部（規制部）、３７…切欠部、ＢＳ…基準面、Ｃ…隙間、ＴＶ…テレビ受信装置
【発明を実施するための最良の形態】
【００５０】
＜実施形態１＞
本発明の実施形態１を図１から図２３によって説明する。本実施形態では、液晶表示装置１０について例示する。なお、各図面の一部にはＸ軸、Ｙ軸及びＺ軸を示しており、各軸方向が各図面で示した方向となるように描かれている。また、図２に示す上側を表側（正面側、光出射側）とし、図２に示す下側を裏側（背面側、光出射側とは反対側）とする。【００５１】
本実施形態に係るテレビ受信装置ＴＶは、図１に示すように、液晶表示装置１０（表示装置）と、当該液晶表示装置１０を挟むようにして収容する表裏両キャビネットＣａ，Ｃｂと、電源Ｐと、チューナーＴとを備えて構成される。液晶表示装置１０は、全体として横長の方形を成し、図２に示すように、表示パネルである液晶パネル１１と、外部光源であるバックライト装置１２（照明装置）とを備え、これらが枠状をなすベゼル１３などにより一体的に保持されるようになっている。【００５２】
次に、液晶表示装置１０を構成する液晶パネル１１及びバックライト装置１２について順次に説明する。液晶パネル１１は、平面視矩形状をなしており、図２に示すように、一対のガラス基板１１ａ，１１ｂが所定のギャップを隔てた状態で貼り合わせられるとともに、両ガラス基板１１ａ，１１ｂ間に液晶層（図示せず）が封入された構成とされる。一方のガラス基板１１ａには、互いに直交するソース配線とゲート配線とに接続されたスイッチング素子（例えばＴＦＴ）と、そのスイッチング素子に接続された画素電極、さらには配向膜等が設けられ、他方のガラス基板１１ｂには、Ｒ（赤色），Ｇ（緑色），Ｂ（青色）等の各着色部が所定配列で配置されたカラーフィルタや対向電極、さらには配向膜等が設けられている。このうち、ソース配線、ゲート配線及び対向電極などには、図示しない駆動回路基板から画像を表示するのに必要な画像データや各種制御信号が供給されるようになっている。なお、両ガラス基板１１ａ，１１ｂの外側にはそれぞれ偏光板１１ｃ，１１ｄが配されている。【００５３】
バックライト装置１２は、図２に示すように、液晶パネル１１の背面直下に光源が配置されてなる、いわゆる直下型のバックライトであり、表側（光出射側、液晶パネル１１側）に開口した略箱型をなすシャーシ１４と、シャーシ１４内に敷設される反射シート１５と、シャーシ１４の開口部を覆うようにして取り付けられる複数枚の光学部材１６と、光学部材１６を保持可能なフレーム１７と、シャーシ１４内に並列した状態で収容される複数本の冷陰極管１８（光源）と、冷陰極管１８の各端部を遮光するとともに自身が光反射性を備えてなるホルダ１９とを有する。さらに、このバックライト装置１２は、シャーシ１４の裏側に配されるインバータ基板２０（電力供給基板）と、インバータ基板２０と冷陰極管１８との間の電力供給を中継する中継コネクタ２１と、シャーシ１４とインバータ基板２０との間に介在するカバー２２とを備えている。【００５４】
シャーシ１４は、アルミニウムなどの金属製とされ、液晶パネル１１と同じく平面視矩形状をなす底板１４ａを備える。この底板１４ａの長辺方向が各図面のＸ軸方向と一致し、短辺方向が同Ｙ軸方向と一致している。底板１４ａにおける長辺方向の両端部には、中継コネクタ２１を挿通可能なコネクタ挿通孔１４ｂが貫通して形成されている。コネクタ挿通孔１４ｂは、Ｙ軸方向（底板１４ａの短辺方向）に沿って複数（冷陰極管１８及び中継コネクタ２１に対応した数）並列配置されている。反射シート１５は、光の反射性に優れた白色を呈する合成樹脂製とされるとともにシャーシ１４の内面のほぼ全域を覆う形で敷設されていて、冷陰極管１８からの光を光学部材１６側（光出射側）へ反射させる機能を有する。また、反射シート１５には上記コネクタ挿通孔１４ｂに連通する孔が形成されている。【００５５】
光学部材１６は、シャーシ１４の底板１４ａや液晶パネル１１と同様に平面視矩形状をなし、透光性を有する合成樹脂製とされるとともに、裏側の冷陰極管１８と表側の液晶パネル１１との間に介在する。光学部材１６は、裏側から順に、例えば拡散板、拡散シート、レンズシート、及び輝度上昇シートにより構成されており、線状光源である各冷陰極管１８から発せられる光を均一な面状の光に変換するなどの機能を有する。【００５６】
フレーム１７は、液晶パネル１１や光学部材１６の外周縁部に沿う枠状をなしている。フレーム１７は、光学部材１６の表側に配されるとともにホルダ１９との間で光学部材１６の外周縁部を挟持できるようになっている。また、フレーム１７は、液晶パネル１１を裏側から受けることができるようになっていて、液晶パネル１１の表側に配されるベゼル１３との間で液晶パネル１１を挟持可能とされる。【００５７】
冷陰極管１８は、線状光源（管状光源）の一種であり、図３に示すように、その軸方向をシャーシ１４の長辺方向（Ｘ軸方向）と一致させた姿勢でシャーシ１４内に取り付けられており、複数本が互いの軸を略平行にし、且つ互いの間に所定の間隔を空けた状態でシャーシ１４の短辺方向（Ｙ軸方向）に沿って並べられている。【００５８】
この冷陰極管１８は、放電管の一種であり、両端部が封止された断面円形の細長いガラス管１８ａと、ガラス管１８ａの両端部の内側に封入された一対の電極（図示せず）と、ガラス管１８ａの両端部から外部に突出する一対のアウタリード１８ｂとを備える。ガラス管１８ａは、内部に発光物質である水銀など（蛍光体共々図示せず）が封入されるとともに、その内壁面に蛍光体が塗布されている。アウタリード１８ｂは、導電性を有する金属製とされ、ガラス管１８ａの端部からその軸方向（Ｘ軸方向）に沿って外向き（電極側とは逆向き）に突出する細長い略円柱状をなしており、その内端部がガラス管１８ａ内の電極に対して接続されることで電極と同電位とされる。【００５９】
ホルダ１９は、光の反射性に優れた白色を呈する合成樹脂製とされ、図２に示すように、シャーシ１４の短辺方向に沿って延びるとともに、裏側の面が開口した略箱型をなしている。ホルダ１９は、シャーシ１４における長辺方向の両端部に一対取り付けられることで、同位置に並列配置された各冷陰極管１８の端部（非発光部）を一括して覆うことができるようになっている。【００６０】
インバータ基板２０は、合成樹脂製（例えば紙フェノール製またはガラスエポキシ樹脂製など）の基材上に所定の配線パターンが形成されるとともに各種電子部品が実装されてなる。詳しくは、インバータ基板２０のうち、裏側の面（シャーシ１４とは反対側の面）には、トランスやコンデンサなどのリード部品２０ａが実装されているのに対し、表側の面（シャーシ１４側の面）には、配線パターン（図示せず）が形成されるとともに抵抗やダイオードやコンデンサなどのチップ部品２０ｂが実装されている。このうち、リード部品２０ａのリードは、インバータ基板２０のスルーホールを通して表側の面に突出した状態で配線パターンに対して半田付けされている。一方、チップ部品２０ｂは、インバータ基板２０の表側の面において配線パターン上に表面実装されている。このインバータ基板２０は、液晶表示装置１０の電源Ｐに対して接続されており、その電源Ｐから入力される入力電圧を昇圧し、入力電圧よりも高い出力電圧を冷陰極管１８へ出力するなどして冷陰極管１８の点灯・消灯を制御する機能を有する。なお、図７〜図２３では、リード部品２０ａ及びチップ部品２０ｂの図示を省略している。【００６１】
インバータ基板２０は、図４に示すように、シャーシ１４の底板１４ａの裏側の面（冷陰極管１８とは反対側の面）に対して対向状に取り付けられるとともに、底板１４ａのうち長辺方向の両端位置に一対、対称配置されている。インバータ基板２０は、平面視矩形状をなしており、その板面がシャーシ１４の底板１４ａの板面（Ｘ軸方向及びＹ軸方向、液晶表示装置１０の厚さ方向であるＺ軸方向と直交する面）とほぼ平行をなすとともに、その長辺方向が底板１４ａにおける短辺方向（Ｙ軸方向、冷陰極管１８の軸方向と直交する方向）と一致する状態で、底板１４ａに対してビスなどにより固定される。【００６２】
インバータ基板２０における中継コネクタ２１に対する挿入方向の前端部には、中継コネクタ２１に対して挿入・接続されるコネクタ接続部２０ｃが設けられている。コネクタ接続部２０ｃは、インバータ基板２０の上記前端部に切り欠きを間欠的に設けることで、インバータ基板２０の長辺方向に沿って複数（中継コネクタ２１の数分）並列配置されている。これにより、インバータ基板２０の上記前端部は、櫛歯状をなしている。各コネクタ接続部２０ｃは、図１３に示すように、各中継コネクタ２１に対して個別に挿抜可能とされ、その先端部には、配線パターンから延出した端子部２０ｄが設けられている。コネクタ接続部２０ｃの幅寸法は、後述する中継コネクタ２１における基板挿入口２３ｃの開口間口よりも広くなっており、その差は、隣り合う中継コネクタ２１間の間隔と概ね等しくなっている。【００６３】
そして、このインバータ基板２０は、シャーシ１４の底板１４ａ（カバー２２）に対して所定の間隔を空けて対向するとともにコネクタ接続部２０ｃが中継コネクタ２１から離脱した非挿入位置（図１３〜図１６）と、底板１４ａとの間の上記間隔（Ｚ軸方向についての位置関係）を非挿入位置と同様に維持しつつもコネクタ接続部２０ｃが中継コネクタ２１内に挿入された挿入位置（図１７〜図２３）との間を、インバータ基板２０の板面に沿うＸ軸方向（第１の方向、インバータ基板２０の短辺方向）に移動可能とされている。詳しくは、非挿入位置では、図１３〜図１６に示すように、コネクタ接続部２０ｃが中継コネクタ２１との間にＸ軸方向について所定の間隔を空けて配されており、その端子部２０ｄが中継コネクタ２１の端子金具２４に対して非接触の状態とされる。一方、挿入位置では、図１７〜図２３に示すように、コネクタ接続部２０ｃが中継コネクタ２１内に進入していて、その端子部２０ｄが中継コネクタ２１の端子金具２４に対して接触状態とされる。インバータ基板２０は、非挿入位置と挿入位置との間をＸ軸方向に沿ってほぼ水平に移動可能とされており、非挿入位置から挿入位置へ向かう方向が挿入方向とされ、逆に挿入位置から非挿入位置へ向かう方向が離脱方向（脱抜方向）とされる。図７〜図９、図１４〜図１６、図１８〜図２０に示すＸ軸方向の右方が挿入方向であり、同図に示すＸ軸方向の左方が離脱方向である。なお、以下では、中継コネクタ２１に対するインバータ基板２０の挿入方向及び離脱方向について説明するときは、図４に示す左側のインバータ基板２０及び中継コネクタ２１を基準とし、また前後の記載については、図７〜図９、図１４〜図１６、図１８〜図２０に示すＸ軸方向の右方を前方、同左方を後方とする。【００６４】
次に、中継コネクタ２１について説明する。中継コネクタ２１は、図７に示すように、絶縁性を有する合成樹脂製で全体が略ブロック状をなすハウジング２３と、ハウジング２３内に収容された端子金具２４とを備えており、シャーシ１４の底板１４ａ及び後述するカバー２２を貫通した状態で取り付けられている。ハウジング２３のうち、シャーシ１４内に配された部分が、冷陰極管１８の端部を受け入れる光源受入部２３ａとされるのに対し、シャーシ１４外に配された部分が、インバータ基板２０のコネクタ接続部２０ｃを受け入れる基板受入部２３ｂとされる。光源受入部２３ａには、冷陰極管１８の端部に沿った円弧状の溝部が形成されている（図１０）。基板受入部２３ｂには、Ｘ軸方向に沿って後方（インバータ基板２０側）へ向けて開口するとともにＹ軸方向に沿って図１０に示す右側へ向けて開口する基板挿入口２３ｃが設けられている。このハウジング２３は、図１０に示すように、シャーシ１４及びカバー２２のうち、カバー２２に対して直接保持されている。詳しくは、光源受入部２３ａは、基板受入部２３ｂよりもＹ軸方向の寸法が大きくなっており、その幅広部分２３ｄがカバー２２に対して表側から係合可能とされる。基板受入部２３ｂには、カバー２２に対して裏側から係合可能な抜け止め突部２３ｅが設けられている。【００６５】
一方、図７に示すように、端子金具２４のうち、上記光源受入部２３ａ内に配された端部が、冷陰極管１８のアウタリード１８ｂに接触される光源接触部２４ａとされるのに対し、上記基板受入部２３ｂ内に配された端部が、コネクタ接続部２０ｃの端子部２０ｄに接触される基板接触部２４ｂとされる。光源接触部２４ａ及び基板接触部２４ｂは、それぞれバネ性を有しており、アウタリード１８ｂ及び端子部２０ｄに対して弾性接触可能とされる。インバータ基板２０から出力された出力電圧は、この中継コネクタ２１を介して冷陰極管１８のアウタリード１８ｂ及び電極に入力可能とされる。【００６６】
中継コネクタ２１は、図４に示すように、シャーシ１４に対して冷陰極管１８の両端部に対応した位置、すなわち底板１４ａにおける長辺方向の両端位置に一対一組で配され、且つ底板１４ａの短辺方向（Ｙ軸方向、冷陰極管１８の並列方向）に沿って複数ずつ（冷陰極管１８の本数分）並んで配されている。各中継コネクタ２１の配列ピッチは、各冷陰極管１８の配列ピッチとほぼ等しくなっている。各中継コネクタ２１におけるＹ軸方向についての設置位置は、各冷陰極管１８とほぼ同じに揃えられている。【００６７】
続いて、カバー２２について説明する。カバー２２は、絶縁性を有する合成樹脂製とされ、図２に示すように、シャーシ１４の底板１４ａとインバータ基板２０との間に介在する（挟まれた配置とされる）ことで、底板１４ａに対してインバータ基板２０の配線パターンやチップ部品２０ｂなどが直接接触するのを防ぐことができる。カバー２２は、シャーシ１４の底板１４ａの裏側の面（冷陰極管１８とは反対側の面）に対して取り付けられており、底板１４ａのうち長辺方向の両端位置に一対ずつ配置され、それにより底板１４ａにおける中継コネクタ２１の設置領域を所定の範囲にわたって覆っている。【００６８】
詳しくは、カバー２２は、図５に示すように、平面視矩形状をなすとともに、その長辺方向を底板１４ａにおける短辺方向と一致させた向きで、一対ずつＹ軸方向に横並びした状態で底板１４ａの長辺方向の両端部に対してビスなどにより固定されている。従って、カバー２２の長辺寸法は、シャーシ１４の短辺寸法やインバータ基板２０の長辺寸法の半分程度とされる。カバー２２は、略板状をなし、その板面がシャーシ１４の底板１４ａ及びインバータ基板２０の板面に対して並行する形態とされる。カバー２２は、大まかには、中継コネクタ２１に相対的に近い側（シャーシ１４における端側）が前部２２ａとされるのに対し、中継コネクタ２１から相対的に遠い側（シャーシ１４における中央側）が後部２２ｂとされる。このうち、後部２２ｂには、放熱用の放熱孔が貫通形成され、複数行列状に配置されている。【００６９】
一方、カバー２２の前部２２ａは、シャーシ１４における中継コネクタ２１の設置領域と平面視重畳している。従って、カバー２２の前部２２ａには、中継コネクタ２１を嵌合可能なコネクタ嵌合孔２５が貫通形成されている。詳しくは、コネクタ嵌合孔２５は、前部２２ａにおいてＹ軸方向に沿って複数並列配置されるとともに、シャーシ１４側の各コネクタ挿通孔１４ｂに対して個別に連通されるようになっている。コネクタ嵌合孔２５は、図７及び図１０に示すように、上記コネクタ挿通孔１４ｂよりも平面に視た大きさ、つまりＸ軸方向及びＹ軸方向の大きさがいずれも小さくなっており、中継コネクタ２１の外形寸法と概ね一致する設定とされる。従って、中継コネクタ２１は、コネクタ挿通孔１４ｂ及びコネクタ嵌合孔２５に貫通しつつ取り付けられた状態では、光源受入部２３ａの幅広部分２３ｄと抜け止め突部２３ｅとの間にコネクタ嵌合孔２５の縁部が挟持されるようになっている。つまり、中継コネクタ２１は、カバー２２に対して直接的に固定され、シャーシ１４に対しては間接的に固定されることになる。その一方、中継コネクタ２１とシャーシ１４の底板１４ａにおけるコネクタ挿通孔１４ｂの縁部との間には、Ｘ軸方向及びＹ軸方向についてそれぞれ所定のクリアランスが空けられることになる。そこで、カバー２２における各コネクタ嵌合孔２５の周縁部には、表側（シャーシ１４側）に向けて突出することで、各コネクタ挿通孔１４ｂに対して内嵌可能な嵌合凸部２６が設けられている。この嵌合凸部２６は、短筒状をなすとともに上記クリアランスを詰め（コネクタ挿通孔１４ｂの縁部と中継コネクタ２１との間に介在し）、両者間を仕切ることで、両者を確実に絶縁状態に維持することができる。【００７０】
カバー２２の前部２２ａのうち各コネクタ嵌合孔２５の周縁部には、図６に示すように、裏側（インバータ基板２０側）に向けて突出するリブ２７が設けられている。リブ２７は、図７に示すように、短筒状をなすとともに前側部分と後側部分とで突出高さが異なっており、後側部分が相対的に突出高さが低い低位部２７ａとされるのに対し、前側部分が相対的に突出高さが高い高位部２７ｂとされる。このうち、高位部２７ｂは、その突出端面がインバータ基板２０の表側の面（カバー２２との対向面）に達するような突出高さを有している。また、カバー２２の前部２２ａにおける前端部には、裏側に向けて突出し、その突出端がリブ２７の高位部２７ｂよりもさらに高い位置に至る前壁部２９が設けられている。前壁部２９は、Ｙ軸方向に沿って延在する形態とされるとともに、その途中の位置からは後方へ延びる延出部２９ａが複数設けられている。【００７１】
さて、本実施形態では、図１８に示すように、カバー２２と挿入位置とされたインバータ基板２０とは互いに対向状をなすとともに間に所定の隙間Ｃが保有されるのであるが、この隙間Ｃを規制するための規制構造が備えられている。規制構造は、カバー２２における基準面ＢＳから裏側に配されたインバータ基板２０の各端部２０ｅ〜２０ｇに向けて突出するとともに、上記各端部２０ｅ〜２０ｇにおける延在方向の一端から他端にわたるよう配される規制部３５，３６により構成されている。詳しくは、規制部３５，３６は、図５に示すように、インバータ基板２０のうち中継コネクタ２１に対する挿入方向に沿った第１の方向（Ｘ軸方向）の端部に向けて突出する第１規制部３５と、インバータ基板２０のうちその板面に沿い且つ上記第１の方向と直交する第２の方向（Ｙ軸方向）の端部に向けて突出する第２規制部３６とから構成されている。本実施形態に係る各規制部３５，３６は、基準面ＢＳからの突出高さが既述したリブ２７の高位部２７ｂと同等とされ、インバータ基板２０の各端部２０ｅ〜２０ｇにおける表側の面に対して当接可能とされる。それにより、インバータ基板２０とカバー２２との間の隙間Ｃを外部から閉塞できるとともに、インバータ基板２０を支持してその撓みなどの変形を抑制できるようになっている（図１８〜図２０、及び図２３）。なお、本実施形態では、「基準面」をカバー２２の後部２２ｂにおける裏側の面（インバータ基板２０に対して隙間Ｃを空けつつ対向する面）として説明する。【００７２】
このうち、第１規制部３５は、図６に示すように、インバータ基板２０のうち挿入方向の前端部２０ｅに向けて突出する前側規制部３５ａと、インバータ基板２０のうち挿入方向の後端部２０ｆに向けて突出する後側規制部３５ｂとから構成されている。第１規制部３５をなす前側規制部３５ａは、カバー２２の前部２２ａのうち、コネクタ嵌合孔２５に対してＹ軸方向に隣接する位置に配されている。詳しくは、前側規制部３５ａは、隣り合うコネクタ嵌合孔２５の間の各領域、及びＹ軸方向について最も端寄りの各コネクタ嵌合孔２５と後述する第２規制部３６及び縦支持壁３０ｂとの間の各領域に配されている。前側規制部３５ａは、インバータ基板２０の前端部２０ｅにおける延在方向、つまりＹ軸方向に沿って延在する形態とされる。詳細には、各コネクタ嵌合孔２５間の領域に配された前側規制部３５ａは、上記領域の全域にわたって切れ目無く延在する形態とされ、各コネクタ嵌合孔２５の周縁に形成された各リブ２７に対して連結されている。一方、最も端寄りのコネクタ嵌合孔２５と第２規制部３６及び縦支持壁３０ｂとの間の領域に配された前側規制部３５ａは、上記領域の全域にわたって切れ目無く延在する形態とされ、最も端寄りのコネクタ嵌合孔２５の周縁に形成されたリブ２７と第２規制部３６及び縦支持壁３０ｂとにそれぞれ連結されている。【００７３】
前側規制部３５ａは、図１９に示すように、カバー２２の基準面ＢＳからＺ軸方向に沿って裏側へ向けて突出するとともに、リブ２７の高位部２７ｂとほぼ同じ突出高さを有しているので、その突出端面が挿入位置とされたインバータ基板２０のうちコネクタ接続部２０ｃ（前端部２０ｅ）の表側の面に対して当接され、Ｙ軸方向に沿ってほぼ線接触状態となる。一方、コネクタ嵌合孔２５には、中継コネクタ２１が嵌合されていてその基板受入部２３ｂがインバータ基板２０に対して当接可能とされる。以上のように、挿入位置とされたインバータ基板２０の前端部２０ｅには、その延在方向（Ｙ軸方向）についてほぼ全域にわたって前側規制部３５ａと中継コネクタ２１とが当接されるようになっている。従って、インバータ基板２０とカバー２２との間に保有される隙間Ｃは、Ｘ軸方向の前方外部に対して殆ど開口することがなく、切れ目無く閉塞状態に規制されるようになっている。これにより、上記隙間Ｃに対する前方外部からの異物（昆虫などの生物を含む）などの侵入を好適に防止できる。前側規制部３５ａは、リブ２７とほぼ同じ厚さの壁状をなしている。前側規制部３５ａには、延出部２９ａが連結されており、この延出部２９ａの後面には、挿入位置とされたインバータ基板２０の前端面に対して当接可能とされる。なお、前側規制部３５ａは、非挿入位置とされたインバータ基板２０の前端部２０ｅに対しては非接触とされる（図１７）。また、シャーシ１４に取り付けられた一対のカバー２２の間には、図５に示すように、前側規制部３５ａが存在しないため、上記隙間Ｃが僅かながらも前方外部へ開口しているが、両カバー２２間の間隔を十分に狭くなるよう設定することで、異物などの侵入を防ぐことができる。【００７４】
第１規制部３５をなす後側規制部３５ｂは、図５から図７及び図１２に示すように、カバー２２の後部２２ｂにおける後端部に配されており、後部２２ｂを部分的に厚肉にすることで形成されている。詳しくは、後側規制部３５ｂは、後部２２ｂにおいてＸ軸方向については後端側の所定の長さ領域にわたって、Ｙ軸方向については全域にわたって形成されており、基準面ＢＳからＺ軸方向に沿って裏側へ向けて段付き状に突出していて全体が略ブロック状をなしている。つまり、後側規制部３５ｂは、インバータ基板２０の後端部２０ｆにおける延在方向（Ｙ軸方向）に沿ってその全域にわたって延在する形態とされている。後側規制部３５ｂは、基準面ＢＳからの突出高さが上記前側規制部３５ａ及びリブ２７の高位部２７ｂとほぼ同じとされているので、インバータ基板２０の後端部２０ｆに対してその延在方向の全域に面接触される。そして、後側規制部３５ｂは、Ｘ軸方向についての寸法がインバータ基板２０における非挿入位置と挿入位置との間の移動ストロークよりも大きくなるよう設定されているので、インバータ基板２０が非挿入位置及び挿入位置のいずれにあった場合でも後端部２０ｆに対してもその延在方向の全域に面接触される（図１４及び図１８）。後側規制部３５ｂにおけるインバータ基板２０に対するＸ軸方向の当接範囲（当接面積）は、挿入位置よりも非挿入位置の方が移動ストローク分だけ大きくなっている。以上により、インバータ基板２０とカバー２２との間に保有される隙間Ｃは、Ｘ軸方向の後方外部に対して殆ど開口することがなく、切れ目無く閉塞状態に規制されるようになっている。これにより、上記隙間Ｃに対する後方外部からの異物などの侵入を好適に防止できる。【００７５】
第２規制部３６は、図５，図６及び図９に示すように、シャーシ１４に取り付けられた一対のカバー２２のそれぞれに、インバータ基板２０の長辺方向（Ｙ軸方向、第２の方向）の両端部２０ｇに向けて突出するよう１つずつ設けられている。詳しくは、第２規制部３６は、各カバー２２のうちシャーシ１４の短辺方向の端側に位置する端部に形成されており、カバー２２の基準面ＢＳからＺ軸方向に沿って裏側へ向けて突出するとともにＸ軸方向に沿って延在する形態とされている。第２規制部３６は、Ｘ軸方向についてカバー２２のうち後側規制部３５ｂの設置領域を除いたほぼ全長にわたって延在しており、インバータ基板２０における長辺方向の両端部２０ｇの延在方向（Ｘ軸方向）の後端部を除いたほぼ全域にわたって延在する形態とされている。第２規制部３６は、カバー２２の基準面ＢＳからＺ軸方向に沿って裏側へ向けて突出していて、その突出寸法は上記第１規制部３５とほぼ同じとされる。従って、第２規制部３６は、インバータ基板２０の長辺方向の両端部２０ｇに対して後端部を除いたほぼ全域にわたって当接され、Ｘ軸方向に沿うほぼ線接触状態となる。また、第２規制部３６は、インバータ基板２０が非挿入位置及び挿入位置のいずれの位置にあってもその両端部２０ｇに対して当接される（図１６及び図２０）。以上により、インバータ基板２０とカバー２２との間に保有される隙間Ｃは、Ｙ軸方向の側方外部に対して殆ど開口することがなく、切れ目無く閉塞状態に規制されるようになっている。これにより、上記隙間Ｃに対する側方外部からの異物などの侵入を好適に防止できる。【００７６】
本実施形態では、さらに上記した第１規制部３５と第２規制部３６とを互いに連なる形態としている。詳しくは、第２規制部３６における前端部には、既述した通り前側規制部３５ａが連結されているのに対し、第２規制部３６における後端部には、後側規制部３５ｂが連結されている。従って、第１規制部３５及び第２規制部３６は、全体としてほぼ環状をなしていると言える。これにより、インバータ基板２０とカバー２２との間の隙間Ｃは、ほぼ環状をなす第１規制部３５及び第２規制部３６によりほぼ全周にわたって取り囲まれるようになっている。もって、上記隙間Ｃに対してインバータ基板２０の板面に沿う全方位からの異物などの侵入が防止される。【００７７】
カバー２２には、図５に示すように、表側に向けて突出することで、インバータ基板２０を裏側から支持して撓みなどの変形を規制可能な基板支持部３０が複数設けられている。基板支持部３０は、カバー２２の前部２２ａにおける各コネクタ嵌合孔２５に隣接する位置に配された複数の支持突起３０ａと、カバー２２の前部２２ａの長辺方向（Ｙ軸方向）の端部に配された縦支持壁３０ｂと、縦支持壁３０ｂ及び第２規制部を繋ぐ横支持壁３０ｃとを備える。これら支持突起３０ａ、縦支持壁３０ｂ、及び横支持壁３０ｃは、その突出高さが既述した各規制部３５，３６と同等とされ、インバータ基板２０の表側の面に対して当接可能とされる。【００７８】
支持突起３０ａは、図６及び図８に示すように、Ｘ軸方向（挿入方向）に沿って延在する形態とされるとともに、Ｙ軸方向について複数本が並列配置されており、詳しくは各コネクタ嵌合孔２５毎に概ね２本ずつ設置されている。また、支持突起３０ａには、リブ２７の低位部２７ａに対して連結されているものもある。支持突起３０ａは、図８及び図１１に示すように、カバー２２の前部２２ａを部分的に表側へ膨出させることで形成されており、その外面が２段階のテーパ状をなす。支持突起３０ａは、インバータ基板２０のうち各中継コネクタ２１に挿入される各コネクタ接続部２０ｃの直後の部位を表側から支持可能とされる（図１９）。【００７９】
縦支持壁３０ｂは、図５に示すように、シャーシ１４に取り付けられた各カバー２２のうちシャーシ１４の短辺方向の中央側に位置する端部に配されており、第２規制部３６と同様にＸ軸方向に沿って延在する形態とされる。そして、縦支持壁３０ｂは、インバータ基板２０のうち長辺方向の中央部を支持可能とされる。また、縦支持壁３０ｂにおける前端部近傍には、既述した前側規制部３５ａが連結されている。また、横支持壁３０ｃは、Ｙ軸方向に沿って延在する形態とされるとともに各支持突起３０ａよりも後方位置に配され、同位置にてインバータ基板２０を表側から支持可能とされる。なお、上記した基板支持部３０は、インバータ基板２０が非挿入位置と挿入位置とのいずれにあった場合でも、インバータ基板２０を支持可能な配置とされており、両位置間を移動する途中でも支持が可能とされる。【００８０】
ところで、インバータ基板２０は、既述した通り、シャーシ１４及びカバー２２に対してＺ軸方向について所定の位置関係を維持しつつ非挿入位置から挿入位置へ向けて移動されることで、各中継コネクタ２１との接続がなされるようになっている。ところが、インバータ基板２０におけるシャーシ１４及びカバー２２との対向面には、チップ部品２０ｂが実装されているとともにリード部品２０ａのリードが突出しているため、インバータ基板２０をシャーシ１４及びカバー２２に対して非挿入位置に配する際に、Ｘ軸方向またはＹ軸方向に位置ずれが生じると、上記チップ部品２０ｂやリードがシャーシ１４やカバー２２側の構造物に干渉するおそれがある。また、インバータ基板２０が非挿入位置から位置ずれしていると、そこから挿入位置へ向けて移動させる際にも同様の干渉が生じるおそれがある。【００８１】
そこで、本実施形態に係るシャーシ１４に取り付けられたカバー２２とインバータ基板２０とには、相互を板面に沿う方向（Ｘ軸方向及びＹ軸方向）について位置決め可能な位置決め構造が設けられている。位置決め構造は、インバータ基板２０を位置決めする方向に応じて２種類が備えられており、インバータ基板２０の挿入方向に沿うＸ軸方向（第１の方向）について位置決めするものが第１位置決め構造とされ、Ｘ軸方向と直交するＹ軸方向（第２の方向）について位置決めするものが第２位置決め構造とされている。これら第１位置決め構造及び第２位置決め構造は、シャーシ１４及びインバータ基板２０におけるＹ軸方向の両端部にそれぞれ配設されている。【００８２】
詳しくは、第１位置決め構造は、図５及び図９に示すように、シャーシ１４側のカバー２２に設けられた第１位置決め凸部３１と、インバータ基板２０に設けられ第１位置決め凸部３１を受け入れる第１位置決め凹部３２とから構成される。第１位置決め凸部３１は、各カバー２２のうち第２規制部３６から裏側（インバータ基板２０側）に向けて突出する形態とされる。つまり、第１位置決め凸部３１は、シャーシ１４の短辺方向（Ｙ軸方向）の両端部に一対配置されている。詳しくは、第１位置決め凸部３１は、図６及び図９に示すように、コネクタ嵌合孔２５よりも後ろ寄りの位置に配されている。第１位置決め凸部３１は、略円柱状をなすとともにその突出寸法がインバータ基板２０の厚さ寸法よりも大きく設定される。一方、第１位置決め凹部３２は、図１３に示すように、インバータ基板２０における長辺方向（Ｙ軸方向）の両側端部をそれぞれ部分的に切り欠くことで形成されている。すなわち、第１位置決め凹部３２は、インバータ基板２０の上記両側端部のうち前端よりもやや後ろ寄りの部分を厚さ方向に貫通させ且つ外側方へ開口させることで形成されている。第１位置決め凹部３２は、平面視略台形状で、Ｙ軸方向の外側の開口端側ほど間口（Ｘ軸方向の寸法）が広くなる形態とされ、前端部３２ａ及び後端部３２ｂがそれぞれテーパ状をなしている。【００８３】
そして、第１位置決め凹部３２は、Ｘ軸方向の寸法が第１位置決め凸部３１の径寸法よりも大きくなるよう形成されており、内部に第１位置決め凸部３１が進入した状態では、第１位置決め凸部３１との間にＸ軸方向について所定のクリアランスが保有されるようになっている。このクリアランスの範囲内で第１位置決め凹部３２及び第１位置決め凸部３１が前後に相対的に移動可能とされるものの、第１位置決め凸部３１が第１位置決め凹部３２の前端部３２ａまたは後端部３２ｂに突き当たることで、前後の相対的な移動が規制されるようになっている。インバータ基板２０を非挿入位置に配した状態では、図１３に示すように、第１位置決め凸部３１は、その前端部３１ａが第１位置決め凹部３２の前端部３２ａに当接される設定とされている。従って、インバータ基板２０は、非挿入位置とした状態から後方へ位置ずれするのが防止される。一方、インバータ基板２０を挿入位置に配した状態では、図１７に示すように、第１位置決め凸部３１は、その後端部３１ｂが第１位置決め凹部３２の後端部３２ｂに当接される設定とされている。従って、インバータ基板２０は、挿入位置とした状態から前方へ位置ずれするのが防止される。なお、第１位置決め凸部３１と第１位置決め凹部３２との間の上記クリアランスは、インバータ基板２０における非挿入位置と挿入位置との間の移動ストロークとほぼ等しくなっている。【００８４】
続いて、第２位置決め構造について詳しく説明する。第２位置決め構造は、図５及び図９に示すように、各カバー２２のうちシャーシ１４の短辺方向の端側に位置する端部に形成された第２位置決め部３３を備える。第２位置決め部３３は、Ｙ軸方向についてインバータ基板２０における長辺方向の両端部２０ｇに対応した２位置で、且つＸ軸方向について前後に離間した２位置に一対ずつ、合計４つ配置されている。第２位置決め部３３は、図６及び図９に示すように、相対的に前側に配されカバー２２のうち第２規制部３６に連なる前側位置決め部３３ａと、相対的に後側に配され後側規制部３５ｂに連なる後側位置決め部３３ｂとからなる。第２位置決め部３３は、第２規制部３６及び後側規制部３５ｂにおける外側端からＺ軸方向に沿って裏側に向けて突出するとともに、Ｘ軸方向に沿って延在する縦壁状をなしており、その板厚が第２規制部３６の約半分程度とされている。【００８５】
そして、第２位置決め部３３の内壁面は、図１３及び図１７に示すように、インバータ基板２０の側端面（次述する切欠部３７の側端面を含む）に対して当接可能とされる。シャーシ１４におけるＹ軸方向の両端に位置して互いに対向する両第２位置決め部３３の内壁面間の距離は、図５に示すように、インバータ基板２０の長辺寸法と概ね等しくなっている。これにより、インバータ基板２０は、非挿入位置及び挿入位置からＹ軸方向について位置ずれするのが防がれるようになっている。また、第２位置決め部３３は、インバータ基板２０が非挿入位置と挿入位置とを移動する過程でも摺接されるようになっており、それによりインバータ基板２０の移動動作をガイド可能とされる。なお、第２位置決め部３３の突出高さは、第１位置決め凸部３１よりも低く設定される。【００８６】
さらに詳細には、前側位置決め部３３ａは、Ｘ軸方向についてカバー２２の前部２２ａとほぼ同じ範囲にわたって延在する形態とされるのに対し、後側位置決め部３３ｂは、Ｘ軸方向について後側規制部３５ｂとほぼ同じ範囲にわたって延在する形態とされる。また、前側位置決め部３３ａは、第１位置決め凸部３１の突出基端部に連結されている。前側位置決め部３３ａは、取り付けられるインバータ基板２０に対して平面視重畳せず、Ｙ軸方向について側方にずれて配されるのに対し、後側位置決め部３３ｂは、前側位置決め部３３ａよりもＹ軸方向についてインバータ基板２０の中央側にずれて配されている。そして、インバータ基板２０のうち後側位置決め部３３ｂに対応したＹ軸方向の両側端部２０ｇには、後側位置決め部３３ｂを受け入れる切欠部３７が部分的に設けられている。切欠部３７は、インバータ基板２０の両側端部２０ｇにおける後端位置に配されており、インバータ基板２０を厚さ方向に貫通させ且つ外側方及び後方へ開口させることで形成されている。切欠部３７は、平面視略矩形状をなし、その前端部３７ａがＹ軸方向に沿ってほぼ真っ直ぐな形態とされる。【００８７】
上記のように切欠部３７は、後方へ開放されているので、図１３に示すように、インバータ基板２０を非挿入位置に配した状態で後側位置決め部３３ｂが進入されるようになっている。そして、後側位置決め部３３ｂの前端部３３ｂａは、非挿入位置とされたインバータ基板２０における切欠部３７の前端部３７ａとほぼ一致するよう形成されている。つまり、後側位置決め部３３ｂ及び切欠部３７は、既述した第１位置決め凸部３１及び第１位置決め凹部３２と共にインバータ基板２０が非挿入位置から後方へ位置ずれするのを防ぐことが可能とされる。言い換えると、第２位置決め構造を構成する後側位置決め部３３ｂ及び切欠部３７は、第１位置決め構造をも兼用していることになる。【００８８】
本実施形態に係るカバー２２は、上記した規制構造及び位置決め構造に加えて、インバータ基板２０を裏側（シャーシ１４とは反対側）から押さえる基板押さえ部３４を備えている。基板押さえ部３４は、図６，図９及び図１０に示すように、第２位置決め部３３のうち前側位置決め部３３ａからＹ軸方向に沿って内向き（シャーシ１４の短辺方向の中央側）に突出する形態とされる。基板押さえ部３４は、前側位置決め部３３ａのうち前端部付近、詳細にはコネクタ嵌合孔２５とＸ軸方向について重なり合う位置に配されている。基板押さえ部３４のうちシャーシ１４側を向いた内面は、インバータ基板２０の裏側の面に対して当接可能とされている。基板押さえ部３４は、インバータ基板２０が非挿入位置のときは非接触状態とされるのに対し（図１６）、挿入位置のときはインバータ基板２０の前端部に対して接触状態とされる（図２０）。これにより、挿入位置としたインバータ基板２０がその板面と交差する方向に変形するのが規制されるようになっている。【００８９】
本実施形態は以上のような構造であり、続いてその作用を説明する。上記した構成の液晶表示装置は、それぞれ別途に製造された液晶パネル１１及びバックライト装置１２をベゼル１３などにより互いに組み付けることで製造される。以下では、このうちバックライト装置１２の組み付け手順について説明する。【００９０】
バックライト装置１２の組み付けにあたっては、まずシャーシ１４の表側内面に反射シート１５を敷設する一方、裏側外面に各カバー２２を取り付けておく。そして、シャーシ１４内から各中継コネクタ２１を取り付け、カバー２２の各コネクタ嵌合孔２５に嵌合させることで、カバー２２に対して中継コネクタ２１を保持させる。その後、シャーシ１４内に各冷陰極管１８を収容し、端部のアウタリード１８ｂを中継コネクタ２１の光源受入部２３ａ内に進入させて端子金具２４の光源接触部２４ａに対して弾性接触させる。それから、シャーシ１４に対して表側からホルダ１９、光学部材１６及びフレーム１７を順次に組み付けるようにする（図２）。【００９１】
その一方で、シャーシ１４の裏側外部においては、インバータ基板２０をシャーシ１４及びカバー２２に対して組み付ける作業を行う。インバータ基板２０は、配線パターン及びチップ部品２０ｂが配された側の面を表側にした状態で、図７〜図９に示す取り外し位置から、シャーシ１４及びカバー２２に対して裏側からＺ軸方向に沿って接近されることで、図１３〜図１６に示す非挿入位置に至る。このとき、各カバー２２の第１位置決め凸部３１に対してインバータ基板２０における第１位置決め凹部３２を、各カバー２２の後側位置決め部３３ｂに対してインバータ基板２０における切欠部３７をそれぞれ位置合わせすることで、インバータ基板２０をＸ軸方向について正確に非挿入位置に配することができる（図５参照）。詳しくは、インバータ基板２０の四隅位置近傍に配された両第１位置決め凹部３２及び両切欠部３７の前端部３２ａ，３７ａに対して、シャーシ１４側のカバー２２の両第１位置決め凸部３１及び後側位置決め部３３ｂの前端部３１ａ，３３ｂａがそれぞれ当接するよう、Ｘ軸方向についてインバータ基板２０の位置を調整することで、インバータ基板２０をＸ軸方向について正確に非挿入位置に至らせることができる。このとき、インバータ基板２０は、前後に離間した２位置にてＸ軸方向について位置決めされるので、両第１位置決め凸部３１と両第１位置決め凹部３２との位置関係、及び両後側位置決め部３３ｂ及び切欠部３７を目視により確認する上で、視認性に優れる。【００９２】
一方、インバータ基板２０を取り外し位置から非挿入位置に配する際には、図１３に示すように、カバー２２の第２位置決め部３３に対してインバータ基板２０の側端面を位置合わせすることで、インバータ基板２０をＹ軸方向について正確に非挿入位置に配することができる。詳しくは、シャーシ１４側のカバー２２の両前側位置決め部３３ａの内壁面に対して、インバータ基板２０の前端部２０ｅにおける両側端面を、両後側位置決め部３３ｂの内壁面に対して、インバータ基板２０の後端部２０ｆの両側端面（両切欠部３７の側端面）をそれぞれ当接させるよう、Ｙ軸方向についてインバータ基板２０の位置を調整することで、インバータ基板２０をＹ軸方向について正確に非挿入位置に至らせることができる（図５参照）。また、インバータ基板２０は、図１４〜図１６に示すように、非挿入位置に至ると、各端部２０ｅ〜２０ｇに対して後側規制部３５ｂ及び第２規制部３６が当接されるとともに、上記各端部２０ｅ〜２０ｇ以外の部分に対して基板支持部３０（支持突起３０ａ、縦支持壁３０ｂ及び横支持壁３０ｃ）が当接されることで、シャーシ１４及びカバー２２に対するＺ軸方向についての位置関係が規定されるとともに、撓みなどの変形が規制される。【００９３】
以上により、インバータ基板２０は、非挿入位置に配される際にＸ軸方向及びＹ軸方向について二次元的に正確に位置決めされる。従って、上記作業中にインバータ基板２０のうちシャーシ１４及びカバー２２側に露出したチップ部品２０ｂやリード部品２０ａのリードなどが、シャーシ１４及びカバー２２側の構造物（例えばインバータ基板２０を固定するためのボスなど）に対して干渉するような事態を回避することができる。【００９４】
続いて、非挿入位置としたインバータ基板２０を挿入位置へ向けて移動させる作業を行う。非挿入位置からインバータ基板２０をＸ軸方向に沿って前方へ押し込むと、各コネクタ接続部２０ｃが各中継コネクタ２１の基板受入部２３ｂにおける基板挿入口２３ｃ内に挿入される。そして、インバータ基板２０が挿入位置に達すると、図１７及び図１８に示すように、各コネクタ接続部２０ｃの端子部２０ｄに対して各中継コネクタ２１の端子金具２４の基板接触部２４ｂが弾性接触される。これにより、インバータ基板２０と冷陰極管１８とが中継コネクタ２１を介して電気的に中継接続され、冷陰極管１８に対する電力供給が可能とされる。【００９５】
インバータ基板２０を図１３に示す非挿入位置から図１７に示す挿入位置に至らせる過程では、第１位置決め凹部３２内に進入した第１位置決め凸部３１が第１位置決め凹部３２に対してクリアランスの範囲内でＸ軸方向に相対的に移動する。この過程では、各第２位置決め部３３がインバータ基板２０の両側端面に摺接されることで、インバータ基板２０が途中で傾くことなくＸ軸方向に沿って直線的に移動する動作をガイドすることができる。そして、挿入位置に達すると、図１７及び図２０に示すように、第１位置決め凸部３１の後端部３１ｂが第１位置決め凹部３２の後端部３２ｂに当接されることで、インバータ基板２０がそれ以上前方へ押し込まれるのを規制することができる。このように、インバータ基板２０が非挿入位置から挿入位置に至る間も、インバータ基板２０は、Ｘ軸方向及びＹ軸方向について位置決めされるので、移動途中にインバータ基板２０のチップ部品２０ｂやリード部品２０ａのリードなどが、シャーシ１４及びカバー２２側の構造物に干渉するのを回避することができる。【００９６】
インバータ基板２０が挿入位置に達した状態では、図１８〜図２０及び図２３に示すように、インバータ基板２０の前端部２０ｅに対して中継コネクタ２１及び第１規制部３５の前側規制部３５ａが、後端部２０ｆに対して後側規制部３５ｂが、両側端部２０ｇに対して両第２規制部３６がそれぞれ当接される。このとき、インバータ基板２０とカバー２２との間に保有される隙間Ｃは、その四方に配された第１規制部３５及び第２規制部３６により全周にわたって殆ど切れ目無く取り囲まれた状態で閉塞される。これにより、上記隙間Ｃに対して外部の異物（昆虫などの生物を含む）がインバータ基板２０の板面に沿う全方位から侵入するのを確実に防ぐことができる。もって中継コネクタ２１とインバータ基板２０との接続状態に悪影響が及ぶのを未然に防ぐことができる。また、インバータ基板２０が挿入位置に達した状態では、図２０及び図２１に示すように、その両側端部２０ｇにおける前端部が基板押さえ部３４によって裏側から押さえられているのに加えて、インバータ基板２０の表側の面には、図１８〜図２２に示すように、基板支持部３０（支持突起３０ａ、縦支持壁３０ｂ及び横支持壁３０ｃ）が当接されている。これにより、インバータ基板２０がＺ軸方向、つまり板面と直交する方向について撓むなど変形したり、がたつくのを効果的に抑制することができる。もって、インバータ基板２０に対する各規制部３５，３６の当接状態を維持することができ、隙間Ｃに対する外部の異物などの侵入防止機能を確実に発揮することができる。【００９７】
なお、インバータ基板２０を取り外し位置から非挿入位置に配する際には、仮にインバータ基板２０が非挿入位置よりも多少前寄りの位置で取り付けられた場合であっても、その位置は非挿入位置と挿入位置との間の位置であるから、インバータ基板２０の各部品はシャーシ１４やカバー２２の構造物に干渉することが回避されるようになっている。【００９８】
以上説明したように本実施形態のバックライト装置１２は、冷陰極管１８と、冷陰極管１８を収容するシャーシ１４と、シャーシ１４に対して冷陰極管１８とは反対側に、シャーシ１４側の基準面ＢＳから所定の隙間Ｃを空けて配され、冷陰極管１８に対して駆動電力を供給するインバータ基板２０と、シャーシ１４に組み付けられるとともにインバータ基板２０がその板面に沿う一方向に挿抜可能とされ、インバータ基板２０と冷陰極管１８との間の電力供給を中継する中継コネクタ２１とを備え、シャーシ１４側には、基準面ＢＳからインバータ基板２０における端部２０ｅ〜２０ｇに向けて突出するとともに、端部２０ｅ〜２０ｇにおける延在方向の一端から他端にわたるよう配されることで、インバータ基板２０との間の隙間Ｃを規制する規制部３５，３６が設けられている。【００９９】
このようにすれば、インバータ基板２０は、シャーシ１４に対して基準面ＢＳから所定の隙間Ｃを空けて配されるとともに、中継コネクタ２１に対して板面に沿う一方向に挿抜されるようになっていて、中継コネクタ２１を介して冷陰極管１８に対して駆動電力を供給可能とされている。シャーシ１４側の基準面ＢＳとインバータ基板２０との間に保有される隙間Ｃは、シャーシ１４側の基準面ＢＳからインバータ基板２０における端部２０ｅ〜２０ｇに向けて突出するとともに、その端部２０ｅ〜２０ｇにおける延在方向の一端から他端にわたって配される規制部３５，３６によって規制される。従って、規制部３５，３６により規制された上記隙間Ｃに対して外部から異物などが侵入し難くなる。【０１００】
より好ましくは、本実施形態では、以下に示す構成を備えている。
（１）規制部３５は、インバータ基板２０のうち中継コネクタ２１に対する挿入方向に沿った第１の方向（Ｘ軸方向）の端部２０ｅ，２０ｆに向けて突出する形態とされている。このようにすれば、インバータ基板２０の挿入方向に沿った第１の方向から異物などが隙間Ｃに侵入し難くなる。【０１０１】
（２）規制部３５は、インバータ基板２０のうち中継コネクタ２１に対する挿入方向の後側の端部２０ｆに向けて突出する後側規制部３５ｂを備えている。このようにすれば、インバータ基板２０の挿入方向の後側から異物などが隙間Ｃに侵入し難くなる。【０１０２】
（３）規制部３５は、インバータ基板２０のうち中継コネクタ２１に対する挿入方向の前側の端部２０ｅに向けて突出する前側規制部３５ａを備えている。このようにすれば、インバータ基板２０の挿入方向の前側から異物などが隙間Ｃに侵入し難くなる。【０１０３】
（４）規制部３５は、インバータ基板２０のうち中継コネクタ２１に対する挿入方向の後側の端部２０ｆに向けて突出する後側規制部３５ｂと、挿入方向の前側の端部２０ｅに向けて突出する前側規制部３５ａとを備えている。このようにすれば、インバータ基板２０の挿入方向の前後両側から異物などが隙間Ｃに侵入し難くなる。【０１０４】
（５）規制部３５，３６は、インバータ基板２０のうち中継コネクタ２１に対する挿入方向に沿った第１の方向の端部２０ｅ，２０ｆに向けて突出する第１規制部３５と、インバータ基板２０の板面に沿い且つ第１の方向と直交する第２の方向（Ｙ軸方向）の端部２０ｇに向けて突出する第２規制部３６とを備え、第１規制部３５と第２規制部３６とが互いに連なる形態とされている。このようにすれば、インバータ基板２０の挿入方向に沿った第１の方向及びそれと直交する第２の方向の２方向から異物などが隙間Ｃに侵入し難くなる。【０１０５】
（６）規制部３５，３６は、インバータ基板２０のうち中継コネクタ２１に対する挿入方向に沿った第１の方向の両端部２０ｅ，２０ｆに向けてそれぞれ突出する一対の第１規制部３５と、インバータ基板２０の板面に沿い且つ第１の方向と直交する第２の方向の両端部２０ｇに向けてそれぞれ突出する一対の第２規制部３６とを備え、一対の第１規制部３５と一対の第２規制部３６とが互いに連なる形態とされている。このようにすれば、インバータ基板２０の板面に沿う全方位から異物などが隙間Ｃに侵入し難くなる。【０１０６】
（７）規制部３６は、インバータ基板２０の板面に沿い且つ中継コネクタ２１に対するインバータ基板２０の挿入方向に沿った第１の方向と直交する第２の方向の端部２０ｇに向けて突出する形態とされている。このようにすれば、インバータ基板２０の挿入方向に沿った第１の方向と直交する第２の方向から異物などが隙間Ｃに侵入し難くなる。【０１０７】
（８）規制部３６は、インバータ基板２０の板面に沿い且つ中継コネクタ２１に対するインバータ基板２０の挿入方向に沿った第１の方向と直交する第２の方向の両端部２０ｇに向けてそれぞれ突出する形態とされている。このようにすれば、インバータ基板２０の挿入方向に沿った第１の方向と直交する第２の方向の両側から異物などが隙間Ｃに侵入し難くなる。【０１０８】
（９）規制部３５，３６は、インバータ基板２０の端部２０ｅ〜２０ｇにおける延在方向に沿って延在する形態とされている。このようにすれば、規制部３５，３６における延在長さの範囲内で隙間Ｃを切れ目無く規制することができる。【０１０９】
（１０）規制部３５，３６は、インバータ基板２０の端部２０ｅ〜２０ｇにおける延在方向の全域にわたって延在する形態とされている。このようにすれば、インバータ基板２０の端部２０ｅ〜２０ｇにおける延在方向の全域にわたって隙間Ｃを切れ目無く規制することができる。
（１１）規制部３５，３６は、インバータ基板２０の端部２０ｅ〜２０ｇに対して当接されている。このようにすれば、規制部３５，３６により隙間Ｃを塞ぐことができる。【０１１０】
（１２）規制部３５，３６は、インバータ基板２０の端部２０ｅ〜２０ｇの延在方向に沿って延在する形態とされ、その延在長さの全域にわたってインバータ基板２０の端部２０ｅ〜２０ｇに当接されている。このようにすれば、規制部３５，３６における延在長さの範囲内で隙間Ｃを切れ目無く塞ぐことができる。【０１１１】
（１３）規制部３５，３６は、インバータ基板２０の端部２０ｅ〜２０ｇにおける延在方向の全域にわたって延在する形態とされ、その延在長さの全域にわたってインバータ基板２０の端部２０ｅ〜２０ｇに当接されている。このようにすれば、インバータ基板２０の端部２０ｅ〜２０ｇにおける延在方向の全域にわたって隙間Ｃを切れ目無く塞ぐことができる。【０１１２】
（１４）インバータ基板２０は、中継コネクタ２１から離脱した非挿入位置と、中継コネクタ２１に挿入された挿入位置との間を移動可能とされており、シャーシ１４に対して非挿入位置としたインバータ基板２０をその板面に沿う少なくともいずれか一方向について位置決め可能な位置決め構造が設けられている。このようにすれば、非挿入位置としたインバータ基板２０は、板面に沿う少なくともいずれか一方向についてシャーシ１４に対して位置決めされる。インバータ基板２０を非挿入位置に配する際や、非挿入位置から挿入位置へ移動させる際に、インバータ基板２０に実装された各種部品などがシャーシ１４側の構造物に干渉するのを回避することができる。【０１１３】
（１５）シャーシ１４側に設けられる位置決め構造は、規制部３５，３６に連なる形態で設けられている。このようにすれば、位置決め構造及び規制部３５，３６の設置スペースを一纏めにできるので、小型化や設計の自由度の向上などに好適となる。【０１１４】
（１６）位置決め構造は、中継コネクタ２１に対するインバータ基板２０の挿入方向に沿った第１の方向についてインバータ基板２０を位置決め可能な第１位置決め構造を備える。このようにすれば、インバータ基板２０の挿入方向に沿った第１の方向について、インバータ基板２０を位置決めすることができる。【０１１５】
（１７）第１位置決め構造は、シャーシ１４側に設けられた第１位置決め凸部３１と、インバータ基板２０側に設けられていて第１位置決め凸部３１を受け入れ可能な第１位置決め凹部３２とを備え、第１位置決め凹部３２は、第１位置決め凸部３１に対して挿入方向についてクリアランスを保有しており、第１位置決め凸部３１及び第１位置決め凹部３２は、インバータ基板２０が非挿入位置とされた状態では、挿入方向の前端部３１ａ，３２ａ同士が当接するものの、挿入方向の後端部３１ｂ，３２ｂ同士が挿入方向について離間するよう形成されている。このようにすれば、インバータ基板２０を非挿入位置に配する際に、インバータ基板２０がシャーシ１４に対して挿入方向の後方に位置ずれするのを防ぐことができる。また、第１位置決め凸部３１と第１位置決め凹部３２との間に保有されたクリアランスの範囲でインバータ基板２０の移動が許容される。【０１１６】
（１８）第１位置決め凸部３１及び第１位置決め凹部３２は、インバータ基板２０が挿入位置とされた状態では、挿入方向の後端部３１ｂ，３２ｂ同士が当接するよう形成されている。このようにすれば、インバータ基板２０を非挿入位置から挿入位置まで移動したとき、インバータ基板２０がシャーシ１４に対して挿入方向の前方に位置ずれするのを防ぐことができる。これにより、挿入位置のインバータ基板２０と規制部３５，３６との位置関係が定められるから、規制部３５，３６による隙間Ｃの規制状態を安定化させることができる。【０１１７】
（１９）第１位置決め凸部３１は、シャーシ１４側に、第１位置決め凹部３２は、インバータ基板２０側にそれぞれ配されている。このようにすれば、仮にインバータ基板２０側に第１位置決め凸部を設けようとした場合、特殊な設計が必要となるのと比べると、低コストでもってインバータ基板２０に位置決め構造を設けることができる。【０１１８】
（２０）第１位置決め凹部３２は、インバータ基板２０を部分的に切り欠くことで形成されている。このようにすれば、インバータ基板２０をシャーシ１４とは反対側から目視することで、第１位置決め凹部３２内に進入した第１位置決め凸部３１の位置を確認することができる。これにより、インバータ基板２０をより正確に位置決めすることができる。【０１１９】
（２１）位置決め構造は、中継コネクタ２１に対するインバータ基板２０の挿入方向に沿った第１の方向と直交する第２の方向についてインバータ基板２０を位置決めする第２位置決め構造を備えている。このようにすれば、インバータ基板２０の挿入方向に沿った第１の方向と直交する第２の方向について、非挿入位置としたインバータ基板２０を位置決めすることができる。【０１２０】
（２２）第２位置決め構造は、シャーシ１４側に設けられ、インバータ基板２０が非挿入位置と挿入位置とを移動する間、インバータ基板２０に当接する第２位置決め部３３を備える。このようにすれば、インバータ基板２０を非挿入位置と挿入位置との間で移動させる際、その移動動作を第２位置決め部３３によりガイドすることができる。これにより、インバータ基板２０を安定的に移動させることができる。また、挿入位置のインバータ基板２０と規制部３５，３６との位置関係が定められるから、規制部３５，３６による隙間Ｃの規制状態を安定化させることができる。【０１２１】
（２３）第２位置決め部３３は、インバータ基板２０側に向けて突出する形態とされるのに対し、インバータ基板２０には、第２位置決め部３３のうち後側位置決め部３３ｂを受け入れ可能な切欠部３７が設けられており、後側位置決め部３３ｂ及び切欠部３７は、インバータ基板２０が非挿入位置とされた状態では、挿入方向の前端部３３ｂａ，３７ａ同士が当接されることで、第１の方向についてインバータ基板２０を位置決め可能とされる。このようにすれば、後側位置決め部３３ｂ及び切欠部３７により第１の方向及び第２の方向の両方向についてインバータ基板２０を位置決めすることができる。【０１２２】
（２４）位置決め構造は、中継コネクタ２１に対するインバータ基板２０の挿入方向の前後に離間した２位置にそれぞれ配されている。このようにすれば、インバータ基板２０をより正確に位置決めすることができる。しかも、作業者が位置決め構造を目視により確認できるようにした場合、視認性を高めることができる。【０１２３】
（２５）位置決め構造は、中継コネクタ２１に対するインバータ基板２０の挿入方向に沿った第１の方向と直交する第２の方向の端部に配されている。このようにすれば、仮に位置決め構造を第２の方向の中央側に配した場合と比べると、インバータ基板２０の配線パターンや各部品の設置位置などの設計に制約が生じるのを回避することができる。【０１２４】
（２６）位置決め構造は、中継コネクタ２１に対するインバータ基板２０の挿入方向に沿った第１の方向と直交する第２の方向の両端部にそれぞれ配されている。このようにすれば、仮に位置決め構造を第２の方向の中央側に配した場合と比べると、インバータ基板２０の配線パターンや各部品の設置位置などの設計に制約が生じるのを回避することができる。しかも、位置決め構造を第２の方向の両端部にそれぞれ配することで、より正確にインバータ基板２０を位置決めすることができる。【０１２５】
（２７）シャーシ１４には、インバータ基板２０との間に介在するカバー２２が取り付けられ、カバー２２におけるインバータ基板２０との対向面が基準面ＢＳとされており、規制部３５，３６は、カバー２２に設けられている。このようにすれば、仮に規制部を直接シャーシ１４に設ける場合と比べると、規制部３５，３６の形状や配置などの自由度を高めることができる。【０１２６】
（２８）シャーシ１４には、中継コネクタ２１を挿通可能なコネクタ挿通孔１４ｂが貫通形成されているのに対し、カバー２２には、コネクタ挿通孔１４ｂに対して連通するとともに中継コネクタ２１を嵌合可能なコネクタ嵌合孔２５が貫通形成されている。このようにすれば、シャーシ１４のコネクタ挿通孔１４ｂ及びカバー２２のコネクタ嵌合孔２５に中継コネクタ２１を貫通させた状態で取り付けることができる。【０１２７】
（２９）コネクタ挿通孔１４ｂは、コネクタ嵌合孔２５よりも大きくなるよう形成されている。このようにすれば、シャーシ１４におけるコネクタ挿通孔１４ｂの縁部と中継コネクタ２１との間の距離を十分に空けることができる。従って、中継コネクタ２１に高電圧電流が流れた場合にシャーシ１４側にリークするのを抑制することができる。【０１２８】
（３０）カバー２２には、コネクタ挿通孔１４ｂに対して内嵌可能な嵌合凸部２６が設けられている。このようにすれば、シャーシ１４におけるコネクタ挿通孔１４ｂの縁部と中継コネクタ２１との間に嵌合凸部２６が介在することになるので、中継コネクタ２１とシャーシ１４とをより確実に絶縁状態に維持できる。また、シャーシ１４に対するカバー２２の位置決めも可能となる。【０１２９】
（３１）コネクタ嵌合孔２５は、カバー２２において中継コネクタ２１に対するインバータ基板２０の挿入方向に沿った第１の方向と直交する第２の方向について複数が並列配置されており、前側規制部３５ａは、カバー２２のうち隣り合うコネクタ嵌合孔２５の間の領域に設けられている。このようにすれば、インバータ基板２０とカバー２２との間に保有される空間に対して挿入方向の前方から、隣り合う中継コネクタ２１の間の空間を通って異物などが侵入するのを防ぐことができる。【０１３０】
（３２）コネクタ嵌合孔２５の縁部には、インバータ基板２０側に向けて突出するリブ２７が設けられており、前側規制部３５ａは、リブ２７に対して連結されるよう形成されている。このようにすれば、リブ２７と前側規制部３５ａとを連結することで、挿入方向の前方から視て隙間Ｃを無くすことができ、異物などの侵入を確実に防止できる。また強度上も優れる。【０１３１】
（３３）シャーシ１４側には、インバータ基板２０に対してシャーシ１４とは反対側から当接する基板押さえ部３４が設けられている。このようにすれば、基板押さえ部３４によりインバータ基板２０がシャーシ１４とは反対側に変形するのを抑制することができる。【０１３２】
（３４）基板押さえ部３４は、挿入位置とされたインバータ基板２０における挿入方向の前端部２０ｅに当接されるよう配されている。このようにすれば、挿入位置としたインバータ基板２０における挿入方向の前端部２０ｅを基板押さえ部３４により押さえることで、中継コネクタ２１に対する接続信頼性を向上させることができる。【０１３３】
（３５）シャーシ１４側には、基準面ＢＳからインバータ基板２０における中央側部分に向けて突出するとともに、インバータ基板２０に当接されることで、インバータ基板２０を支持可能な基板支持部３０が設けられている。このようにすれば、インバータ基板２０の板面と直交する方向についてシャーシ１４とインバータ基板２０との位置関係を所望の状態に維持することができる。これにより、規制部３５，３６による隙間Ｃの規制状態を一定に保つことができる。【０１３４】
（３６）基板支持部３０をなす支持突起３０ａは、中継コネクタ２１に隣接する位置に配されている。このようにすれば、中継コネクタ２１に隣接する位置にてインバータ基板２０の撓みなどの変形が防止されるので、中継コネクタ２１に対するインバータ基板２０の接続信頼性を高めることができる。【０１３５】
以上、本発明の実施形態１を示したが、本発明は上記実施の形態に限られるものではなく、例えば以下のような変形例を含むこともできる。なお、以下の各変形例において、上記実施形態と同様の部材には、上記実施形態と同符号を付して図示及び説明を省略するものもある。【０１３６】
［変形例１］
実施形態１のバックライト装置１２の変形例１について図２４を用いて説明する。ここでは、挿入位置としたインバータ基板２０と後側規制部３５ｂ‐１との関係を変更したものを示す。【０１３７】
挿入位置とされたインバータ基板２０における後端部２０ｆ‐１は、図２４に示すように、カバー２２の後側規制部３５ｂ‐１に対して前方にずれた配置とされる。詳しくは、挿入位置とされたインバータ基板２０の後端面と後側規制部３５ｂ‐１の前端面とがほぼ面一状をなしており、後端部２０ｆ‐１と後側規制部３５ｂ‐１とが互いに非接触状態とされる。このような配置としても、インバータ基板２０とカバー２２との間の隙間Ｃは、後側規制部３５ｂ‐１によって後方外部に対して殆ど開口することなく閉塞されるので、異物の侵入防止機能を上記実施形態１と同等に発揮することができる。【０１３８】
［変形例２］
実施形態１のバックライト装置１２の変形例２について図２５を用いて説明する。ここでは、後側規制部３５ｂ‐２の形状を変更したものを示す。【０１３９】
後側規制部３５ｂ‐２は、図２５に示すように、カバー２２の後端部においてＹ軸方向に沿って複数が間欠的に並列配置されている。各後側規制部３５ｂ‐２は、Ｙ軸方向に沿って所定長さにわたって延在する略ブロック状をなしており、挿入位置及び非挿入位置のいずれに配されたインバータ基板２０に対しても当接可能とされる。隣り合う後側規制部３５ｂ‐２の間隔は、後方外部へ開口することになるものの、その大きさについて侵入が想定される異物よりも十分に小さく設定されることで、異物の侵入防止機能が適切に発揮される。【０１４０】
［変形例３］
実施形態１のバックライト装置１２の変形例３について図２６を用いて説明する。ここでは、後側規制部３５ｂ‐３の形状を変更したものを示す。【０１４１】
後側規制部３５ｂ‐３は、図２６に示すように、カバー２２の後端部においてＹ軸方向に沿って複数が間隔を空けることなく連続的に並列配置され、そのＹ軸方向に沿った断面形状が略半円形状をなすとともに挿入位置及び非挿入位置のいずれに配されたインバータ基板２０に対しても当接可能とされる。各後側規制部３５ｂ‐３は、インバータ基板２０に対してＸ軸方向については線接触されるものの、Ｙ軸方向については点接触される。各後側規制部３５ｂ‐３は、その外面が略円弧状をなしているので、隣り合う後側規制部３５ｂ‐３の間には隙間が空けられることになる。この後側規制部３５ｂ‐３間の隙間は、後方外部へ開口することになるものの、その大きさについて侵入が想定される異物よりも十分に小さく設定されることで、異物の侵入防止機能が適切に発揮される。【０１４２】
［変形例４］
実施形態１のバックライト装置１２の変形例４について図２７を用いて説明する。ここでは、後側規制部３５ｂ‐４の形状を変更したものを示す。【０１４３】
後側規制部３５ｂ‐４は、図２７に示すように、カバー２２の後端部においてＸ軸方向に沿って３つ（複数）並列配置され、そのＸ軸方向に沿った断面形状が略三角形状をなすとともに挿入位置及び非挿入位置のいずれに配されたインバータ基板２０に対しても当接可能とされる。各後側規制部３５ｂ‐４は、インバータ基板２０に対してＹ軸方向については線接触されるものの、Ｘ軸方向については点接触される。【０１４４】
＜他の実施形態＞
本発明は上記記述及び図面によって説明した実施形態に限定されるものではなく、例えば次のような実施形態も本発明の技術的範囲に含まれる。
（１）上記した実施形態では、「基準面」についてカバーの後部におけるインバータ基板との対向面とした場合を示したが、カバーの具体的な形状設定などに応じて「基準面」を適宜に変更することができる。要は、「基準面」は、シャーシ側においてインバータ基板に対して所定の隙間を空けつつ対向する面であればよい。【０１４５】
（２）上記した実施形態では、第１規制部を構成する前側規制部について、中継コネクタの配設領域を除いて間欠的に配されるものを例示したが、例えば中継コネクタよりも後ろ寄りの位置に前側規制部を配するとともに、Ｙ軸方向に沿ってインバータ基板の前端部の全域にわたって延在する形態とすることも可能である。その場合、前側規制部の具体的な形状については、変形例にて例示した後側規制部と同様に適宜に変更可能である。【０１４６】
（３）上記した実施形態では、第１規制部を構成する前側規制部が非挿入位置とされたインバータ基板に対しては非接触とされるものを示したが、インバータ基板が非挿入位置及び挿入位置のいずれにある場合にも前側規制部が当接するような態様とすることも勿論可能である。【０１４７】
（４）上記した実施形態の変形例１では、第１規制部を構成する後側規制部の前端面と、挿入位置とされたインバータ基板の後端面とが面一状をなすものを例示したが、上記両端面間に隙間が空けられる設定としたものも本発明に含まれる。要は、インバータ基板とカバーとの間の隙間における外部への開口間口が制限されるのであれば、後側規制部と挿入位置とされたインバータ基板との位置関係は適宜に変更可能である。【０１４８】
（５）上記した実施形態では、第１規制部を構成する前側規制部と、挿入位置とされたインバータ基板とが当接されるものを示したが、これらが非接触となる設定としたものも本発明に含まれる。なお、前側規制部とインバータ基板とが非接触となる設定としては、上記した変形例１及び上記（４）にて示した後側規制部と同様にすることができる。要は、インバータ基板とカバーとの間の隙間における外部への開口間口が制限されるのであれば、前側規制部と挿入位置とされたインバータ基板との位置関係は適宜に変更可能である。【０１４９】
（６）上記した実施形態では、第２規制部と、挿入位置とされたインバータ基板とが当接されるものを示したが、これらが非接触となる設定としたものも本発明に含まれる。なお、第２規制部とインバータ基板とが非接触となる設定としては、上記した変形例１及び上記（４）にて示した後側規制部と同様にすることができる。要は、インバータ基板とカバーとの間の隙間における外部への開口間口が制限されるのであれば、第２規制部と挿入位置とされたインバータ基板との位置関係は適宜に変更可能である。【０１５０】
（７）上記した実施形態では、第２規制部がインバータ基板の表側の面に対して当接されるものを示したが、第２規制部がインバータ基板の側端面に対して当接されるようにしたものも本発明に含まれる。その場合、第２規制部が第２位置決め部を兼用することになる。【０１５１】
（８）上記した実施形態では、第２規制部がインバータ基板の側端部における延在方向の全域にわたって配されるものを示したが、複数の第２規制部がインバータ基板の側端部における延在方向に沿って並列配置されるようにしたものも本発明に含まれる。その場合、第２規制部の具体的設計としては、上記した変形例２〜４にて示した後側規制部のようにすることができる。【０１５２】
（９）上記した実施形態では、第１規制部と第２規制部とが互いに連なる形態とされたものを示したが、第１規制部と第２規制部とを分離したものも本発明に含まれる。それ以外にも、例えば前側規制部と第２規制部とを連ねるものの、後側規制部と第２規制部とを分離したものや、後側規制部と第２規制部とを連ねるものの、前側規制部と第２規制部とを分離したものも本発明に含まれる。その場合、一対ある第２規制部のうちいずれか片方の第２規制部のみを前側規制部または後側規制部に対して連ねる（分離する）ようにしてもよい。【０１５３】
（１０）上記した実施形態では、第１規制部が前側規制部と後側規制部とを備えるものを例示したが、前側規制部と後側規制部のいずれか一方を省略したものも本発明に含まれる。また、前側規制部及び後側規制部を共に省略し、第２規制部のみを設けるようにしたものも本発明に含まれる。【０１５４】
（１１）上記した実施形態では、第２規制部を一対備えるものを例示したが、いずれか一方の第２規制部を省略したものも本発明に含まれる。また、第２規制部を両方とも省略し、第１規制部のみを設けるようにしたものも本発明に含まれる。【０１５５】
（１２）上記した実施形態では、第１位置決め凸部が第２規制部に、第２位置決め部が後側規制部及び第２規制部にそれぞれ連なる態様としたものを例示したが、第１位置決め凸部と第２規制部とを分離したものや、第２位置決め部と後側規制部及び第２規制部とを分離したものも本発明に含まれる。【０１５６】
（１３）上記した実施形態では、インバータ基板が後側位置決め部に対応した切欠部を備えるものを示したが、例えば後側位置決め部におけるＹ軸方向の配置について前側位置決め部と同様にすれば、切欠部を省略することもできる。【０１５７】
（１４）上記した実施形態では、第２位置決め部が前後に離間して一対備えられるものを示したが、前側位置決め部及び後側位置決め部を繋いで一体化することも勿論可能である。逆に前側位置決め部または後側位置決め部のいずれかを省略することもできる。【０１５８】
（１５）上記した実施形態では、各規制部がインバータ基板の先端部に当接または非接触で近接して配されるものを示したが、各規制部がインバータ基板の先端部から多少ずれた部位に対して当接または近接して配されるようにしたものも本発明に含まれる。要は、インバータ基板における各種部品の実装領域または配線パターンの形成領域よりも端側の部位に対して各規制部が当接または近接して配されていれば、外部の異物などが各種部品や配線パターンに対して接触するのを避けることができる。【０１５９】
（１６）上記した実施形態では、シャーシにおける長辺方向の一端部当たり、２枚のカバーを取り付けたものを示したが、その枚数は、１枚または３枚以上に変更可能である。カバーの枚数を１枚とした場合は、カバーにおけるＹ軸方向の両端部に第２規制部及び第２位置決め部を一対ずつ設けるようにすればよい。【０１６０】
（１７）上記した実施形態では、インバータ基板を位置決めする位置決め構造として第１位置決め構造及び第２位置決め構造が備えられたものを示したが、第１位置決め構造のみを備え、Ｘ軸方向についてのみ位置決めするものや、第２位置決め構造のみを備え、Ｙ軸方向についてのみ位置決めするものも本発明に含まれる。【０１６１】
（１８）上記した実施形態では、第１位置決め構造としてシャーシ側のカバーに第１位置決め凸部を、インバータ基板側に第１位置決め凹部をそれぞれ設けたものを示したが、逆にシャーシ側のカバーに第１位置決め凹部を、インバータ基板側に第１位置決め凸部をそれぞれ設けるようにしたものも本発明に含まれる。【０１６２】
（１９）上記した実施形態では、第１位置決め凹部がインバータ基板を部分的に切り欠く形態とされたものを示したが、インバータ基板における表側の面を部分的に凹ませることで第１位置決め凹部を設けるようにしてもよい。なお、シャーシ側のカバーに第１位置決め凹部を設ける場合も同様にでき、カバーの裏側の面を部分的に凹ませることで第１位置決め凹部を設けるようにしてもよい。【０１６３】
（２０）上記した実施形態では、インバータ基板が挿入位置に達したとき、第１位置決め凸部及び第１位置決め凹部の後端部同士が当接する構成のものを示したが、当該後端部同士が当接しない設定とすることも可能である。その場合でも、コネクタ接続部の前端面が前壁部の延出部に対して突き当たることで、前止まり機能は維持される。【０１６４】
（２１）上記した実施形態では、基板押さえ部がインバータ基板の前端部に対して当接されるものを示したが、基板押さえ部をインバータ基板の前端部以外の部位に当接するよう設置箇所を変更することも可能である。【０１６５】
（２２）上記した実施形態では、互いに離間した前後２位置に第１位置決め構造及び第２位置決め構造をそれぞれ配したものを示したが、Ｘ軸方向（第１の方向）に関して１箇所のみに第１位置決め構造または第２位置決め構造を配するようにしてもよい。【０１６６】
（２３）上記した実施形態では、インバータ基板におけるＹ軸方向（第２の方向）の両端部に第１位置決め構造及び第２位置決め構造をそれぞれ配したものを示したが、インバータ基板におけるＹ軸方向の一端部のみに第１位置決め構造または第２位置決め構造を配するようにしてもよい。また、第１位置決め構造または第２位置決め構造をインバータ基板におけるＹ軸方向の中央側に配することも可能である。【０１６７】
（２４）上記した実施形態以外にも、インバータ基板上に実装される部品の種類などの各種構成は適宜に変更可能である。【０１６８】
（２５）上記した実施形態では、シャーシ側にカバーが取り付けられるものを示したが、カバーを省略し、規制構造や位置決め構造などをシャーシに直接設置するようにしたものも本発明に含まれる。【０１６９】
（２６）上記した実施形態では、シャーシのコネクタ挿通孔がカバーのコネクタ嵌合孔よりも大きく形成されたものを示したが、両孔を同じ大きさとしたり、大小関係を逆転させたものも本発明に含まれる。その場合、カバーの嵌合凸部を省略してもよい。【０１７０】
（２７）上記した実施形態では、カバーにおける前側規制部がリブに対して連結されるものを示したが、両者が分離・独立したものも本発明に含まれる。その場合、前側規制部が隣り合うコネクタ嵌合孔間の領域において部分的に配されるようにすることもできる。【０１７１】
（２８）上記した実施形態では、カバーが基板支持部として支持突起、縦支持壁及び横支持壁を備えたものを示したが、これらからいずれか１つまたは複数、或いは全てを省略することも可能である。また、各基板支持部の設置数・形状・配置などは適宜に変更可能である。【０１７２】
（２９）上記した実施形態では、中継コネクタに対してインバータ基板が直接接続されるものを示したが、例えばインバータ基板に対してＦＰＣなどにより中継接続された中継基板を中継コネクタに接続するようにし、インバータ基板が中継コネクタに対して間接的に接続されるものも本発明に含まれる。【０１７３】
（３０）上記した実施形態では、冷陰極管の両端部の電極それぞれに対応して一対のインバータ基板を配したものを示したが、片方のインバータ基板を省略して冷陰極管を片側駆動するようにしたものも本発明に含まれる。その場合、インバータ基板が省略された側（低圧側）の中継コネクタには、アース回路を接続するようにすればよい。【０１７４】
（３１）上記した実施形態では、冷陰極管がガラス管の端部に突出したアウタリードを備え、このアウタリードをコネクタに接続したものを例示したが、例えばガラス管の端部にアウタリードに接続した口金を外装し、口金をコネクタに接続させるようなものも本発明に含まれる。【０１７５】
（３２）上記した実施形態では、光源として蛍光管の一種である冷陰極管を用いた場合を例示したが、熱陰極管など他の種類の蛍光管を用いたものも本発明に含まれる。また、蛍光管以外の種類の放電管（水銀ランプなど）を用いたものも本発明に含まれる。【０１７６】
（３３）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【０１７７】
（３４）上記した実施形態では、表示素子として液晶パネルを用いた液晶表示装置を例示したが、他の種類の表示素子を用いた表示装置にも本発明は適用可能である。【０１７８】
（３５）上記した実施形態では、チューナーを備えたテレビ受信装置を例示したが、チューナーを備えない表示装置にも本発明は適用可能である。
【図１】
2010092721.tif 000003
【図２】
2010092721.tif 000004
【図３】
2010092721.tif 000005
【図４】
2010092721.tif 000006
【図５】
2010092721.tif 000007
【図６】
2010092721.tif 000008
【図７】
2010092721.tif 000009
【図８】
2010092721.tif 000010
【図９】
2010092721.tif 000011
【図１０】
2010092721.tif 000012
【図１１】
2010092721.tif 000013
【図１２】
2010092721.tif 000014
【図１３】
2010092721.tif 000015
【図１４】
2010092721.tif 000016
【図１５】
2010092721.tif 000017
【図１６】
2010092721.tif 000018
【図１７】
2010092721.tif 000019
【図１８】
2010092721.tif 000020
【図１９】
2010092721.tif 000021
【図２０】
2010092721.tif 000022
【図２１】
2010092721.tif 000023
【図２２】
2010092721.tif 000024
【図２３】
2010092721.tif 000025
【図２４】
2010092721.tif 000026
【図２５】
2010092721.tif 000027
【図２６】
2010092721.tif 000028
【図２７】
2010092721.tif 000029
【国際調査報告】
2010092721.tif 000030
2010092721.tif 000031